(57)【要約】  光通信装置（１００）は、ポート（１２３）を含む複数のポートのうちの１つのポートを介して、光増幅器（１１１）が出力したＡＳＥ光を送信する分波部（１２０）と、ポート（１３１）に入力されたＡＳＥ光を受信する合波部（１３０）と、ポート（１３１）に入力されたＡＳＥ光の光レベルを測定する測定部（１３４）と、光ファイバの正常な接続状態を確認するための情報である正常接続情報と測定部（１３４）が測定したＡＳＥ光の光レベルとを用いて、ポート（１３１）に接続している光ファイバがポート（１２３）に接続しているか否かを判定する判定部（１７０）と、を有する。
2020217439.tif 000002
【特許請求の範囲】
【請求項１】
第１のポートを含む複数のポートのうちの１つのポートを介して、光増幅器が出力した自然放出増幅光を送信する第１の送信部と、
第２のポートに入力された前記自然放出増幅光を受信する第１の受信部と、
前記第２のポートに入力された前記自然放出増幅光の光レベルを測定する第１の測定部と、
光ファイバの正常な接続状態を確認するための情報である正常接続情報と前記第１の測定部が測定した前記自然放出増幅光の光レベルとを用いて、前記第２のポートに接続している光ファイバが前記第１のポートに接続しているか否かを判定する判定部と、
を有する光通信装置。
【請求項２】
前記正常接続情報は、予め測定されている、前記第１の送信部が前記第１のポートを介して光信号を送信してから前記第１の測定部が前記第２のポートに入力された前記光信号の光レベルを測定するまでの第１の時間を示し、
前記判定部は、前記第１の送信部が前記自然放出増幅光を送信した時刻、前記第１の測定部が前記自然放出増幅光の光レベルを測定した時刻、及び前記第１の時間に基づいて、前記第２のポートに接続している光ファイバが前記第１のポートに接続しているか否かを判定する、
請求項１に記載の光通信装置。
【請求項３】
前記判定部は、前記第１の送信部が前記自然放出増幅光を送信した時刻と前記第１の測定部が前記自然放出増幅光の光レベルを測定した時刻とに基づいて算出された時間と、前記第１の時間とが一致する場合、前記第２のポートに接続している光ファイバが前記第１のポートに接続していると判定し、前記第２のポートに正しい光ファイバが接続していると判定する、
請求項２に記載の光通信装置。
【請求項４】
前記判定部は、前記第１の送信部が前記自然放出増幅光を送信した時刻と前記第１の測定部が前記自然放出増幅光の光レベルを測定した時刻とに基づいて算出された時間と、前記第１の時間とが一致しない場合、前記第２のポートに誤った光ファイバが接続していると判定する、
請求項３に記載の光通信装置。
【請求項５】
前記第１の送信部が前記複数のポートのうちの第３のポートを介して送信した前記光信号を第４のポートを介して受信する第２の受信部と、
前記第４のポートに入力された前記光信号の光レベルを測定する第２の測定部と、
をさらに有し、
前記正常接続情報は、予め測定されている、前記第１の送信部が前記第３のポートを介して前記光信号を送信してから前記第２の測定部が前記第４のポートに入力された前記光信号の光レベルを測定するまでの第２の時間を示し、
前記判定部は、前記第２の時間と、前記第１の送信部が前記第３のポートを介して前記自然放出増幅光を送信した時刻と前記第１の測定部が前記自然放出増幅光の光レベルを測定した時刻とに基づいて算出された時間とが一致する場合、前記第２のポートに接続している光ファイバが前記第３のポートに接続していると判定する、
請求項２から４のいずれか１項に記載の光通信装置。
【請求項６】
前記第１の送信部は、前記第１のポートを介して、前記自然放出増幅光のうちの第１の帯域における波長の第１の光信号を周期的に第１の減衰量で減衰して送信し、
前記正常接続情報は、周期的に前記第１の減衰量で減衰している前記第１の光信号が前記第２のポートに入力されることを示し、
前記判定部は、前記第１の測定部が前記第１の光信号の光レベルが周期的に前記第１の減衰量で減衰していることを測定した場合、前記正常接続情報に基づいて、前記第２のポートに接続している光ファイバが前記第１のポートに接続していると判定し、前記第２のポートに正しい光ファイバが接続していると判定する、
請求項１に記載の光通信装置。
【請求項７】
前記第１の送信部は、前記複数のポートのうちの第３のポートを介して、前記自然放出増幅光のうちの第２の帯域における波長の第２の光信号を周期的に第２の減衰量で減衰して送信し、
前記判定部は、前記第１の測定部が前記第２の光信号の光レベルが周期的に前記第２の減衰量で減衰していることを測定した場合、前記正常接続情報に基づいて、前記第２のポートに誤った光ファイバが接続していると判定する、
請求項６に記載の光通信装置。
【請求項８】
前記第１の測定部が前記第２の光信号の光レベルが周期的に前記第２の減衰量で減衰していることを測定した場合、前記第２のポートに接続されている光ファイバが前記第３のポートに接続していることを示す接続情報を記憶する記憶部をさらに有し、
前記判定部は、前記第１の測定部が前記第２の光信号の光レベルが周期的に前記第２の減衰量で減衰していることを測定した場合、前記接続情報に基づいて、前記第２のポートに接続している光ファイバが前記第３のポートに接続していると判定する、
請求項７に記載の光通信装置。
【請求項９】
第４のポートを有する第２の受信部と、
第２の測定部と、
をさらに有し、
前記第１の送信部は、前記第１の光信号と前記第２の光信号を同時に送信し、
前記正常接続情報は、周期的に前記第２の減衰量で減衰している前記第２の光信号が前記第４のポートに入力されることを示し、
前記判定部は、前記第２の測定部が前記第４のポートに入力された前記第２の光信号の光レベルが周期的に前記第２の減衰量で減衰していることを測定した場合、前記正常接続情報に基づいて、前記第４のポートに接続している光ファイバが前記第３のポートに接続していると判定し、前記第４のポートに正しい光ファイバが接続していると判定する、
請求項７又は８に記載の光通信装置。
【請求項１０】
第１の送信側測定部をさらに有し、
前記第１の送信部は、前記第１のポートを介して、前記自然放出増幅光のうちの第１の帯域における波長の第１の光信号を送信し、
前記第１の送信側測定部は、前記第１のポートから出力される前の前記第１の光信号の光レベルを測定し、
前記正常接続情報は、前記第１の送信側測定部が測定した光レベルと前記第１の測定部が測定した光レベルとの差が予め決められた第１の閾値以下の場合、前記第２のポートに正しい光ファイバが接続していることを示し、
前記判定部は、前記第１の送信側測定部が測定した光レベルと前記第１の測定部が測定した光レベルとの差が前記第１の閾値以下の場合、前記正常接続情報に基づいて、前記第２のポートに接続している光ファイバが前記第１のポートに接続していると判定し、前記第２のポートに正しい光ファイバが接続していると判定する、
請求項１に記載の光通信装置。
【請求項１１】
前記判定部は、前記第１の送信側測定部が測定した光レベルと前記第１の測定部が測定した光レベルとの差が前記第１の閾値を超える場合、前記正常接続情報に基づいて、前記第２のポートに誤った光ファイバが接続していると判定する、
請求項１０に記載の光通信装置。
【請求項１２】
第２の送信側測定部と、
記憶部と、
をさらに有し、
前記第１の送信部は、前記複数のポートのうちの第３のポートを介して、前記自然放出増幅光のうちの第２の帯域における波長の第２の光信号を送信し、
前記第２の送信側測定部は、前記第３のポートから出力される前の前記第２の光信号の光レベルを測定し、
前記記憶部は、前記第２の送信側測定部が測定した光レベルと前記第１の測定部が測定した光レベルとの差が予め決められた第２の閾値以下の場合、前記第２のポートに接続している光ファイバが前記第３のポートに接続していることを示す接続情報を記憶し、
前記判定部は、前記第２の送信側測定部が測定した光レベルと前記第１の測定部が測定した光レベルとの差が前記第２の閾値以下の場合、前記接続情報に基づいて、前記第２のポートに接続している光ファイバが前記第３のポートに接続していると判定する、
請求項１０又は１１に記載の光通信装置。
【請求項１３】
第４のポートを有する第２の受信部と、
前記第４のポートに入力された前記第２の光信号の光レベルを測定する第２の測定部と、
をさらに有し、
前記第１の送信部は、前記第１の光信号と前記第２の光信号を同時に送信し、
前記正常接続情報は、前記第２の送信側測定部が測定した光レベルと前記第２の測定部が測定した光レベルとの差が前記第２の閾値以下の場合、前記第４のポートに正しい光ファイバが接続していることを示し、
前記判定部は、前記第２の送信側測定部が測定した光レベルと前記第２の測定部が測定した光レベルとの差が前記第２の閾値以下の場合、前記正常接続情報に基づいて、前記第４のポートに接続している光ファイバが前記第３のポートに接続していると判定し、前記第４のポートに正しい光ファイバが接続していると判定する、
請求項１２に記載の光通信装置。
【請求項１４】
前記第１の光信号は、複数の波長であり、前記第２の帯域における波長の数より多い、
請求項１２に記載の光通信装置。
【請求項１５】
前記第１の送信部は、前記第１の光信号を第１の減衰量で減衰して送信し、前記第２の光信号を第２の減衰量で減衰して送信する、
請求項１２から１４のいずれか１項に記載の光通信装置。
【請求項１６】
前記第１の送信部は、前記第１のポートを介して、前記自然放出増幅光のうちの第１の帯域における複数の波長である複数の第１の光信号を送信し、
前記正常接続情報は、前記複数の第１の光信号が前記第２のポートに入力されることを示し、
前記判定部は、前記第１の測定部が前記複数の第１の光信号のそれぞれの光レベルを測定した場合、前記正常接続情報に基づいて、前記第２のポートに接続している光ファイバが前記第１のポートに接続していると判定し、前記第２のポートに正しい光ファイバが接続していると判定する、
請求項１に記載の光通信装置。
【請求項１７】
前記第１の送信部は、前記複数のポートのうちの第３のポートを介して、前記自然放出増幅光のうちの第２の帯域における複数の波長である複数の第２の光信号を送信し、
前記判定部は、前記第１の測定部が前記複数の第２の光信号のそれぞれの光レベルを測定した場合、前記正常接続情報に基づいて、前記第２のポートに誤った光ファイバが接続していると判定する、
請求項１６に記載の光通信装置。
【請求項１８】
前記第１の測定部が前記複数の第２の光信号のそれぞれの光レベルを測定した場合、前記第２のポートに接続している光ファイバが前記第３のポートに接続していることを示す接続情報を記憶する記憶部をさらに有し、
前記判定部は、前記第１の測定部が前記複数の第２の光信号のそれぞれの光レベルを測定した場合、前記接続情報に基づいて、前記第２のポートに接続している光ファイバが前記第３のポートに接続していると判定する、
請求項１７に記載の光通信装置。
【請求項１９】
第４のポートを有する第２の受信部と、
第２の測定部と、
をさらに有し、
前記第１の送信部は、前記複数の第１の光信号と前記複数の第２の光信号を同時に送信し、
前記正常接続情報は、前記複数の第２の光信号が前記第４のポートに入力されることを示し、
前記判定部は、前記第２の測定部が前記第４のポートに入力された前記複数の第２の光信号のそれぞれの光レベルを測定した場合、前記正常接続情報に基づいて、前記第４のポートに接続している光ファイバが前記第３のポートに接続していると判定し、前記第４のポートに正しい光ファイバが接続していると判定する、
請求項１７に記載の光通信装置。
【請求項２０】
判定の結果を出力する出力部をさらに有する、
請求項１から１９のいずれか１項に記載の光通信装置。
【請求項２１】
前記光増幅器が出力した前記自然放出増幅光を前記第１の送信部に送信する第２の送信部をさらに有する、
請求項１から２０のいずれか１項に記載の光通信装置。
【請求項２２】
前記光増幅器をさらに有し、
前記光増幅器は、前記光増幅器に入力された光信号である入力光信号を増幅し、
前記自然放出増幅光は、前記入力光信号の波長以外の波長である、
請求項１から２１のいずれか１項に記載の光通信装置。
【発明の詳細な説明】
【技術分野】
【０００１】
本発明は、光通信装置に関する。
【背景技術】
【０００２】
コア・メトロネットワークの構築には、ＲＯＡＤＭ（Ｒｅｃｏｎｆｉｇｕｒａｂｌｅ  Ｏｐｔｉｃａｌ  Ａｄｄ／Ｄｒｏｐ  Ｍｕｌｔｉｐｌｅｘｅｒ）システムが用いられる。近年、多方路ＲＯＡＤＭシステムが用いられている。
多方路ＲＯＡＤＭシステムでは、光信号の送信側と光信号の受信側とが、組み合わせられる。例えば、１つの送信側と２０以上の受信側が、組み合わせられる。多方路ＲＯＡＤＭシステムでは、様々な組み合わせが可能であるため、送信側と受信側とを結ぶ光ファイバの配線が、複雑になる。光ファイバの配線が複雑になることで、光ファイバの配線を誤る可能性が高くなる。【０００３】
ここで、光ファイバの接続を確認する技術が提案されている（特許文献１を参照）。特許文献１の光伝送装置は、テスト光信号を生成する光信号生成器を有する。光伝送装置は、テスト光信号を用いて、光伝送装置内の基板間における光ファイバの接続を確認する。
【先行技術文献】
【特許文献】
【０００４】
【特許文献１】特開２０１６−２０８４９３号公報
【発明の概要】
【発明が解決しようとする課題】
【０００５】
上記の技術では、光ファイバの接続を確認する場合、光信号生成器が必要である。光信号生成器を用いることは、コストが高くなる。【０００６】
本発明の目的は、コストを抑制することである。
【課題を解決するための手段】
【０００７】
本発明の一態様に係る光通信装置が提供される。光通信装置は、第１のポートを含む複数のポートのうちの１つのポートを介して、光増幅器が出力した自然放出増幅光を送信する第１の送信部と、第２のポートに入力された前記自然放出増幅光を受信する第１の受信部と、前記第２のポートに入力された前記自然放出増幅光の光レベルを測定する第１の測定部と、光ファイバの正常な接続状態を確認するための情報である正常接続情報と前記第１の測定部が測定した前記自然放出増幅光の光レベルとを用いて、前記第２のポートに接続している光ファイバが前記第１のポートに接続しているか否かを判定する判定部と、を有する。
【発明の効果】
【０００８】
本発明によれば、コストを抑制できる。
【図面の簡単な説明】
【０００９】
【図１】実施の形態１の光通信装置の構成を示す機能ブロック図である。
【図２】実施の形態１の光通信装置が有するハードウェアの構成を示す図である。
【図３】（Ａ）〜（Ｃ）は、設定部が実行する処理の具体例を示す図である。
【図４】実施の形態１の接続確認処理を示すフローチャート（その１）である。
【図５】実施の形態１の接続確認処理を示すフローチャート（その２）である。
【図６】実施の形態２の光通信装置の構成を示す機能ブロック図である。
【図７】（Ａ）〜（Ｃ）は、設定部が実行する処理の具体例を示す図である。
【図８】実施の形態２の接続確認処理を示すフローチャート（その１）である。
【図９】実施の形態２の接続確認処理を示すフローチャート（その２）である。
【図１０】実施の形態３の光通信装置の構成を示す機能ブロック図である。
【図１１】（Ａ）〜（Ｃ）は、設定部が実行する処理の具体例を示す図である。
【図１２】実施の形態３の接続確認処理を示すフローチャート（その１）である。
【図１３】実施の形態３の接続確認処理を示すフローチャート（その２）である。
【図１４】実施の形態４の光通信装置の構成を示す機能ブロック図である。
【図１５】（Ａ）〜（Ｃ）は、設定部が実行する処理の具体例を示す図である。
【図１６】実施の形態４の接続確認処理を示すフローチャート（その１）である。
【図１７】実施の形態４の接続確認処理を示すフローチャート（その２）である。
【図１８】実施の形態５の光通信装置の構成を示す機能ブロック図である。
【発明を実施するための形態】
【００１０】
以下、図面を参照しながら実施の形態を説明する。以下の実施の形態は、例にすぎず、本発明の範囲内で種々の変更が可能である。
【００１１】
実施の形態１．
図１は、実施の形態１の光通信装置の構成を示す機能ブロック図である。光通信装置１００は、ＲＯＡＤＭを実現する装置と考えてもよい。光通信装置１００は、受信光増幅部１１０、分波部１２０、合波部１３０，１３０ａ，１３０ｂ、送信光増幅部１４０，１４０ａ，１４０ｂ、記憶部１５０、設定部１６０、判定部１７０、及び出力部１８０を有する。
【００１２】
分波部１２０は、送信部とも言う。また、分波部１２０は、第１の送信部とも言う。合波部は、受信部とも言う。合波部１３０は、第１の受信部とも言う。例えば、合波部１３０ａは、第２の受信部とも言う。
【００１３】
ここで、光通信装置１００が有するハードウェアの一部について説明する。
図２は、実施の形態１の光通信装置が有するハードウェアの構成を示す図である。光通信装置１００は、プロセッサ１０１、揮発性記憶装置１０２、及び不揮発性記憶装置１０３を有する。
【００１４】
プロセッサ１０１は、光通信装置１００全体を制御する。例えば、プロセッサ１０１は、ＣＰＵ（Ｃｅｎｔｒａｌ  Ｐｒｏｃｅｓｓｉｎｇ  Ｕｎｉｔ）、ＦＰＧＡ（Ｆｉｅｌｄ  Ｐｒｏｇｒａｍｍａｂｌｅ  Ｇａｔｅ  Ａｒｒａｙ）、ＬＳＩ（Ｌａｒｇｅ  Ｓｃａｌｅ  Ｉｎｔｅｇｒａｔｉｏｎ）などである。プロセッサ１０１は、マルチプロセッサでもよい。光通信装置１００は、処理回路によって実現されてもよく、又は、ソフトウェア、ファームウェア若しくはそれらの組み合わせによって実現されてもよい。なお、処理回路は、単一回路又は複合回路でもよい。
【００１５】
揮発性記憶装置１０２は、光通信装置１００の主記憶装置である。例えば、揮発性記憶装置１０２は、ＲＡＭ（Ｒａｎｄｏｍ  Ａｃｃｅｓｓ  Ｍｅｍｏｒｙ）である。不揮発性記憶装置１０３は、光通信装置１００の補助記憶装置である。例えば、不揮発性記憶装置１０３は、ＲＯＭ（Ｒｅａｄ  Ｏｎｌｙ  Ｍｅｍｏｒｙ）又はＳＳＤ（Ｓｏｌｉｄ  Ｓｔａｔｅ  Ｄｒｉｖｅ）である。
【００１６】
図１に戻って、光通信装置１００が有する機能ブロックを説明する。
記憶部１５０は、揮発性記憶装置１０２又は不揮発性記憶装置１０３に確保した記憶領域として実現される。
【００１７】
設定部１６０、判定部１７０、及び出力部１８０の一部又は全部は、プロセッサ１０１によって実現してもよい。設定部１６０、判定部１７０、及び出力部１８０の一部又は全部は、プロセッサ１０１が実行するプログラムのモジュールとして実現してもよい。例えば、プロセッサ１０１が実行するプログラムは、接続確認プログラムとも言う。例えば、接続確認プログラムは、記録媒体に記録されている。
【００１８】
次に、通常運用時における、受信光増幅部１１０、分波部１２０、合波部１３０，１３０ａ，１３０ｂ、送信光増幅部１４０，１４０ａ，１４０ｂの機能などを説明する。
受信光増幅部１１０は、光増幅器１１１及びポート１１２，１１３を有する。光増幅器１１１は、光増幅器１１１に入力された光信号を増幅する。当該光信号は、入力光信号とも言う。
【００１９】
ここで、ポートは、光コネクタと考えてもよい。ポート１１２は、光通信装置１００と光伝送路とが光通信するためのポートである。ポート１１３は、受信光増幅部１１０と分波部１２０とが光通信するためのポートである。
【００２０】
分波部１２０は、受信光増幅部１１０から受信した光信号を分波する。分波部１２０を詳細に説明する。分波部１２０は、波長選択スイッチ１２１及びポート１２２，１２３，１２４，１２５を有する。まず、ポート１２２，１２３，１２４，１２５を説明する。ポート１２２は、受信光増幅部１１０と分波部１２０とが光通信するためのポートである。当該ポートは、受信ポートとも言う。ポート１２３，１２４，１２５は、分波部１２０と合波部１３０，１３０ａ，１３０ｂとが光通信するためのポートである。当該ポートは、送信ポートとも言う。図１は、３つの送信ポートを示している。しかし、送信ポートの数は、４つ以上でもよい。そして、分波部１２０は、４つ以上の合波部と接続することができる。波長選択スイッチ１２１は、任意の波長の光信号を選択することができる。そして、波長選択スイッチ１２１は、選択した任意の波長の光信号を、いずれかの送信ポートを介して出力することができる。また、波長選択スイッチ１２１は、光信号の透過量を変化させることで、光信号を減衰させることができる。
【００２１】
合波部１３０は、ポート１３１，１３２，１３６、及び波長選択スイッチ１３５を有する。合波部１３０ａは、ポート１３１ａ，１３２ａ，１３６ａ、及び波長選択スイッチ１３５ａを有する。合波部１３０ｂは、ポート１３１ｂ，１３２ｂ，１３６ｂ、及び波長選択スイッチ１３５ｂを有する。
合波部１３０ａ，１３０ｂの機能は、合波部１３０の機能とほぼ同じである。そこで、合波部１３０について説明する。そして、合波部１３０ａ，１３０ｂの説明は、省略する。
【００２２】
合波部１３０は、受信された光信号を合波する。合波部１３０を詳細に説明する。ポート１３１，１３２は、分波部１２０と合波部１３０とが光通信するためのポートである。また、ポート１３１，１３２は、受信ポートとも言う。受信ポートの数は、３つ以上でもよい。波長選択スイッチ１３５は、ポート１３１，１３２を介して受信された光信号の中から、任意の波長の光信号を選択することができる。波長選択スイッチ１３５は、選択した任意の波長の光信号を合波する。波長選択スイッチ１３５は、ポート１３６を介して、合波した光信号を出力する。ポート１３６は、合波部１３０と送信光増幅部１４０が光通信するためのポートである。ポート１３６は、送信ポートとも言う。また、合波部１３０は、Ｎ個の分波部と接続することができる。Ｎは、正の整数である。
【００２３】
送信光増幅部１４０は、光増幅器１４１及びポート１４２，１４３を有する。送信光増幅部１４０ａは、光増幅器１４１ａ及びポート１４２ａ，１４３ａを有する。送信光増幅部１４０ｂは、光増幅器１４１ｂ及びポート１４２ｂ，１４３ｂを有する。
【００２４】
送信光増幅部１４０ａ，１４０ｂの機能は、送信光増幅部１４０の機能とほぼ同じである。そのため、送信光増幅部１４０について説明する。そして、送信光増幅部１４０ａ，１４０ｂの説明は、省略する。
【００２５】
光増幅器１４１は、合波部１３０から受信した光信号を増幅する。光増幅器１４１は、増幅された光信号を出力する。ポート１４２は、合波部１３０と送信光増幅部１４０が光通信するためのポートである。ポート１４３は、光通信装置１００と光伝送路とが光通信するためのポートである。
【００２６】
ここで、ポート１２３は、第１のポートとも言う。ポート１３１は、第２のポートとも言う。例えば、ポート１２４は、第３のポートとも言う。例えば、ポート１３１ａは、第４のポートとも言う。
【００２７】
ポート１２３とポート１３１には、光ファイバ１１が接続される。ポート１２４とポート１３１ａには、光ファイバ１２が接続される。ポート１２５とポート１３１ｂには、光ファイバ１３が接続される。図１の接続状態が、正常な接続状態である。
光ファイバが誤ったポートに接続される場合がある。例えば、ポート１２４とポート１３１には、光ファイバ１１が接続される。また、例えば、ポート１２５とポート１３１には、光ファイバ１１が接続される。
【００２８】
光通信装置１００は、このような誤った接続があるか否かを確認する。接続確認処理が行われるときの光通信装置１００の機能を説明する。
記憶部１５０については、後で説明する。
【００２９】
設定部１６０は、ＡＳＥ（ａｍｐｌｉｆｉｅｄ  ｓｐｏｎｔａｎｅｏｕｓ  ｅｍｉｓｓｉｏｎ）光の出力を光増幅器１１１に設定する。これにより、光増幅器１１１は、ＡＳＥ光を出力する。なお、ＡＳＥ光は、自然放出増幅光と表現してもよい。接続確認処理では、ＡＳＥ光が用いられる。
また、接続確認が終了した場合、設定部１６０は、ＡＳＥ光の出力停止を光増幅器１１１に設定する。
【００３０】
設定部１６０は、ポート毎に、ＡＳＥ光を透過するタイミングとＡＳＥ光を遮断するタイミングを波長選択スイッチ１２１に設定する。当該設定を具体的に説明する。
図３（Ａ）〜（Ｃ）は、設定部が実行する処理の具体例を示す図である。図３（Ａ）〜（Ｃ）の縦軸は、光レベルを示している。図３（Ａ）〜（Ｃ）の横軸は、時間を示している。
【００３１】
図３（Ａ）は、ポート１２３を介するＡＳＥ光の透過タイミングを示している。設定部１６０は、１秒間隔でＡＳＥ光を透過するための設定を波長選択スイッチ１２１に行う。また、設定部１６０は、１／３秒間、ＡＳＥ光の全帯域を透過するための設定を波長選択スイッチ１２１に行う。ＡＳＥ光が透過していない時間帯では、ＡＳＥ光は、遮断されている。
【００３２】
図３（Ｂ）は、ポート１２４を介するＡＳＥ光の透過タイミングを示している。設定部１６０は、１秒間隔でＡＳＥ光を透過するための設定を波長選択スイッチ１２１に行う。また、設定部１６０は、１／３秒間、ＡＳＥ光の全帯域を透過するための設定を波長選択スイッチ１２１に行う。ポート１２４を介するＡＳＥ光は、ポート１２３を介するＡＳＥ光が透過されるタイミングと異なるタイミングで透過される。
【００３３】
図３（Ｃ）は、ポート１２５を介するＡＳＥ光の透過タイミングを示している。設定部１６０は、１秒間隔でＡＳＥ光を透過するための設定を波長選択スイッチ１２１に行う。また、設定部１６０は、１／３秒間、ＡＳＥ光の全帯域を透過するための設定を波長選択スイッチ１２１に行う。ポート１２５を介するＡＳＥ光は、ポート１２３，１２４を介するＡＳＥ光が透過されるタイミングと異なるタイミングで透過される。
【００３４】
ポート１２３，１２４，１２５のそれぞれでＡＳＥ光が透過されるタイミングが異なるのであれば、ＡＳＥ光が透過される時間、ＡＳＥ光が遮断される時間、及び帯域は、変更してもよい。
このように、分波部１２０は、ポート１２３を含む複数のポートのうちの１つのポートを介して、光増幅器１１１が出力したＡＳＥ光を送信する。
【００３５】
合波部１３０は、ポート１３１に入力されたＡＳＥ光を受信する。合波部１３０ａは、ポート１３１ａに入力されたＡＳＥ光を受信する。合波部１３０ｂは、ポート１３１ｂに入力されたＡＳＥ光を受信する。
【００３６】
また、合波部１３０は、光分岐器１３３、測定部１３４を有する。合波部１３０ａは、光分岐器１３３ａ、測定部１３４ａを有する。合波部１３０ｂは、光分岐器１３３ｂ、測定部１３４ｂを有する。また、測定部１３４，１３４ａ，１３４ｂは、合波部１３０，１３０ａ，１３０ｂの外部に存在してもよい。測定部１３４は、第１の測定部とも言う。例えば、測定部１３４ａは、第２の測定部とも言う。なお、光分岐器は、光カプラと考えてもよい。
【００３７】
上述したように、合波部１３０ａ，１３０ｂの機能は、合波部１３０の機能とほぼ同じである。そこで、合波部１３０について説明する。そして、合波部１３０ａ，１３０ｂの説明は、省略する。測定部１３４は、光分岐器１３３を介して、ポート１３１に入力されたＡＳＥ光の光レベルを測定する。なお、光レベルは、光パワーと表現してもよい。
【００３８】
また、合波部１３０は、ポート１３２に入力されたＡＳＥ光の光レベルを測定する測定部をさらに有してもよい。合波部１３０は、当該ＡＳＥ光を当該測定部に測定させるために光分岐器をさらに有する。同様に、合波部１３０ａは、ポート１３２ａから出力されたＡＳＥ光の光レベルを測定する測定部と光分岐器とをさらに有してもよい。合波部１３０ｂは、ポート１３２ｂから出力されたＡＳＥ光の光レベルを測定する測定部と光分岐器とをさらに有してもよい。
【００３９】
ここで、記憶部１５０を説明する。記憶部１５０は、正常接続情報を記憶する。正常接続情報は、光ファイバの正常な接続状態を確認するための情報である。正常接続情報は、予め測定されている、分波部１２０又は波長選択スイッチ１２１がポート１２３を介して光信号を送信してから測定部１３４がポート１３１に入力された当該光信号の光レベルを測定するまでの時間を示す。当該時間は、第１の時間と呼ぶ。また、当該光信号は、ＡＳＥ光でもよい。
【００４０】
また、正常接続情報は、予め測定されている第２の時間を示す。第２の時間は、次のように算出される。合波部１３０ａは、分波部１２０又は波長選択スイッチ１２１がポート１２４を介して送信した光信号を、ポート１３１ａを介して受信する。測定部１３４ａは、ポート１３１ａに入力された光信号の光レベルを測定する。そして、第２の時間は、光信号が送信された時刻と光信号が測定された時刻に基づいて算出される。すなわち、第２の時間は、分波部１２０又は波長選択スイッチ１２１がポート１２４を介して光信号を送信してから測定部１３４ａがポート１３１ａに入力された当該光信号の光レベルを測定するまでの時間である。なお、当該光信号は、ＡＳＥ光でもよい。
【００４１】
正常接続情報は、予め測定されている、分波部１２０又は波長選択スイッチ１２１がポート１２５を介して光信号を送信してから測定部１３４ｂがポート１３１ｂに入力された当該光信号の光レベルを測定するまでの時間を示す。当該時間は、第３の時間と呼ぶ。
【００４２】
例えば、判定部１７０は、正常接続情報と測定部１３４が測定したＡＳＥ光の光レベルとを用いて、ポート１３１に接続している光ファイバがポート１２３に接続しているか否かを判定する。詳細には、判定部１７０は、正常接続情報と設定部１６０が波長選択スイッチ１２１に設定した透過したタイミングとＡＳＥ光の光レベルが測定されたタイミングを用いて、光ファイバの接続状態が正常であるか否かを判定する。
【００４３】
出力部１８０は、判定の結果を出力する。詳細には、出力部１８０は、正常な接続状態又は誤接続状態を出力する。これにより、ユーザは、接続状態を認識することができる。また、出力部１８０は、ポートと光ファイバとの接続関係を出力してもよい。例えば、出力部１８０は、ポート１３１に接続している光ファイバがポート１２４に接続されていることを出力する。これにより、例えば、誤接続状態である場合、ユーザは、誤ったポートに接続している光ファイバを認識することができる。
例えば、出力先は、監視装置でもよい。監視装置の図示は、省略している。光ファイバの接続状態が誤りである場合、出力部１８０は、警報を出力してもよい。
【００４４】
図４は、実施の形態１の接続確認処理を示すフローチャート（その１）である。図４，５は、ポート１２３に接続されている光ファイバがポート１３１に接続されているかを判定する例を示す。また、図４，５の処理は、通常運用時ではないときに実行される。
（ステップＳ１１）設定部１６０は、ＡＳＥ光の出力を光増幅器１１１に設定する。これにより、光増幅器１１１は、ＡＳＥ光を出力する。
（ステップＳ１２）設定部１６０は、図３のように、ポート毎に、ＡＳＥ光を透過するタイミングとＡＳＥ光を遮断するタイミングを波長選択スイッチ１２１に設定する。
【００４５】
（ステップＳ１３）判定部１７０は、分波部１２０がポート１２３を介してＡＳＥ光を送信した時刻と、測定部１３４が光レベルを測定した時刻と、第１の時間とに基づいて、ポート１３１に接続している光ファイバがポート１２３に接続されているか否かを判定する。
【００４６】
詳細に処理を説明する。判定部１７０は、設定部１６０が波長選択スイッチ１２１に設定した透過時刻を取得する。当該透過時刻は、ポート１２３を介してＡＳＥ光を透過させる時刻である。判定部１７０は、測定部１３４がＡＳＥ光の光レベルを測定した時刻を取得する。判定部１７０は、当該透過時刻と測定部１３４がＡＳＥ光の光レベルを測定した時刻とに基づいて時間を算出する。判定部１７０は、算出された当該時間と第１の時間が一致するか否かを判定する。
当該時間と第１の時間が一致する場合、判定部１７０は、処理をステップＳ１４に進める。当該時間と第１の時間が一致しない場合、判定部１７０は、処理をステップＳ１７に進める。
【００４７】
（ステップＳ１４）判定部１７０は、ポート１３１に接続されている光ファイバがポート１２３に接続されていると判定する。そして、判定部１７０は、ポート１３１に正しい光ファイバが接続していると判定する。すなわち、判定部１７０は、正常な接続状態と判定する。
【００４８】
（ステップＳ１５）出力部１８０は、判定の結果を出力する。
（ステップＳ１６）設定部１６０は、停止処理を実行する。詳細には、設定部１６０は、ＡＳＥ光の透過停止を波長選択スイッチ１２１に設定する。設定部１６０は、ＡＳＥ光の出力停止を光増幅器１１１に設定する。そして、処理は、終了する。
【００４９】
（ステップＳ１７）判定部１７０は、分波部１２０がポート１２４を介してＡＳＥ光を送信した時刻と、測定部１３４が光レベルを測定した時刻と、第２の時間とに基づいて、ポート１３１に接続している光ファイバがポート１２４に接続されているか否かを判定する。
【００５０】
詳細に処理を説明する。判定部１７０は、設定部１６０が波長選択スイッチ１２１に設定した透過時刻を取得する。当該透過時刻は、ポート１２４を介してＡＳＥ光を透過させる時刻である。判定部１７０は、当該透過時刻と測定部１３４がＡＳＥ光の光レベルを測定した時刻とに基づいて時間を算出する。判定部１７０は、算出された当該時間と第２の時間が一致するか否かを判定する。
当該時間と第２の時間が一致する場合、判定部１７０は、処理をステップＳ１８に進める。当該時間と第２の時間が一致しない場合、判定部１７０は、処理をステップＳ２１に進める。
【００５１】
（ステップＳ１８）判定部１７０は、ポート１３１に誤った光ファイバが接続していると判定する。すなわち、判定部１７０は、誤接続状態と判定する。判定部１７０は、ポート１３１に接続している光ファイバがポート１２４に接続されていると判定する。そして、処理は、ステップＳ１５に進む。
【００５２】
図５は、実施の形態１の接続確認処理を示すフローチャート（その２）である。
（ステップＳ２１）判定部１７０は、分波部１２０がポート１２５を介してＡＳＥ光を送信した時刻と、測定部１３４が光レベルを測定した時刻と、第３の時間とに基づいて、ポート１３１に接続している光ファイバがポート１２５に接続されているか否かを判定する。
【００５３】
詳細に処理を説明する。判定部１７０は、設定部１６０が波長選択スイッチ１２１に設定した透過時刻を取得する。当該透過時刻は、ポート１２５を介してＡＳＥ光を透過させる時刻である。判定部１７０は、当該透過時刻と測定部１３４がＡＳＥ光の光レベルを測定した時刻とに基づいて時間を算出する。判定部１７０は、算出された当該時間と第３の時間が一致するか否かを判定する。
当該時間と第３の時間が一致する場合、判定部１７０は、処理をステップＳ２２に進める。当該時間と第３の時間が一致しない場合、判定部１７０は、処理をステップＳ２３に進める。
【００５４】
（ステップＳ２２）判定部１７０は、ポート１３１に誤った光ファイバが接続していると判定する。すなわち、判定部１７０は、誤接続状態と判定する。判定部１７０は、ポート１３１に接続している光ファイバがポート１２５に接続されていると判定する。そして、処理は、ステップＳ１５に進む。
【００５５】
（ステップＳ２３）判定部１７０は、ポート１３１に光ファイバが接続されていないと判定する。または、判定部１７０は、送信ポートと送信ポートとに同じ光ファイバが接続されていると判定する。例えば、判定部１７０は、ポート１２３に接続されている光ファイバがポート１３６に接続されていると判定する。そして、処理は、ステップＳ１５に進む。
【００５６】
また、判定部１７０は、ステップＳ２１でＮｏの場合、ポート１３２から出力されたＡＳＥ光の光レベルが測定されたタイミングと波長選択スイッチ１２１がＡＳＥ光を透過したタイミングとに基づいて、正常に接続されているか否かを判定してもよい。
【００５７】
図４，５は、ポート１２３に接続されている光ファイバがポート１３１に接続されているかを判定する場合を例示した。ポート１２４に接続されている光ファイバがポート１３１ａに接続されているかを判定する処理の流れは、図４，５が示す処理の流れと同じである。但し、判定部１７０は、測定部１３４ａが測定したＡＳＥ光の光レベルを用いて判定する。また、ステップＳ１４では、判定部１７０は、誤接続状態と判定する。ステップＳ１８では、判定部１７０は、正常な接続状態と判定する。同様に、ポート１２５に接続されている光ファイバがポート１３１ｂに接続されているかを判定する処理の流れは、図４，５が示す処理の流れと同じである。但し、判定部１７０は、測定部１３４ｂが測定したＡＳＥ光の光レベルを用いて判定する。また、ステップＳ１４では、判定部１７０は、誤接続状態と判定する。ステップＳ２２では、判定部１７０は、正常な接続状態と判定する。
【００５８】
実施の形態１によれば、光通信装置１００は、テスト信号を生成する装置を新たに設けないで、光ファイバの接続確認を行う。すなわち、光通信装置１００は、光増幅器１１１が出力するＡＳＥ光を用いて光ファイバの接続確認を行うことで、テスト信号を生成する装置を新たに設けなくて済む。よって、実施の形態１は、コストを抑制することができる。
【００５９】
また、ポート１２３，１２４，１２５から出力されるＡＳＥ光は、同じ周期で出力される。しかし、設定部１６０は、ポート毎に周期を変えてもよい。例えば、設定部１６０は、ポート１２３から出力されるＡＳＥ光を第１の周期で透過するように波長選択スイッチ１２１に設定する。設定部１６０は、ポート１２４から出力されるＡＳＥ光を第２の周期で透過するように波長選択スイッチ１２１に設定する。設定部１６０は、ポート１２５から出力されるＡＳＥ光を第３の周期で透過するように波長選択スイッチ１２１に設定する。測定部１３４がＡＳＥ光の光レベルを第１の周期で測定している場合、判定部１７０は、ポート１２３に接続されている光ファイバがポート１３１に接続されていると判定する。そして、判定部１７０は、正常な接続状態と判定する。測定部１３４がＡＳＥ光の光レベルを第２の周期で測定している場合、判定部１７０は、ポート１２４に接続されている光ファイバがポート１３１に接続されていると判定する。そして、判定部１７０は、誤接続状態と判定する。測定部１３４がＡＳＥ光の光レベルを第３の周期で測定している場合、判定部１７０は、ポート１２５に接続されている光ファイバがポート１３１に接続されていると判定する。そして、判定部１７０は、誤接続状態と判定する。
【００６０】
上記では、通常運用時ではないときに図４，５の処理が実行される場合を説明した。しかし、通常運用時に図４，５の処理が実行されてもよい。通常運用時に図４，５の処理が実行される場合、光増幅器１１１へのＡＳＥ光の出力設定、停止設定、および波長選択スイッチ１２１の運用中の信号光が経由するポートへの設定は省略する。また、波長選択スイッチ１２１で透過されるＡＳＥ光は、運用中の信号光の波長を除いた帯域である。すなわち、波長選択スイッチ１２１で透過されるＡＳＥ光は、入力光信号の波長以外の波長である。
上記では、合波部が受信部であると説明した。しかし、受信部は、分波部１２０に接続するトランスポンダ、マルチキャストスイッチなどでもよい。
【００６１】
次に、実施の形態２〜５を説明する。ここで、実施の形態２〜４の分波部１２０を簡単に説明する。実施の形態２〜４の分波部１２０は、ポート１２３を介して、ＡＳＥ光のうちの第１の帯域における波長の第１の光信号を送信する。例えば、実施の形態２〜４の分波部１２０は、ポート１２４を介して、ＡＳＥ光のうちの第２の帯域における波長の第２の光信号を送信する。例えば、実施の形態２〜４の分波部１２０は、ポート１２５を介して、ＡＳＥ光のうちの第３の帯域における波長の第３の光信号を送信する。実施の形態２〜４の分波部１２０は、第１の光信号と第２の光信号と第３の光信号を同時に送信してもよいし、第１の光信号と第２の光信号と第３の光信号を別々に送信してもよい。
実施の形態２〜４の光通信装置を詳細に説明する。
【００６２】
実施の形態２．
次に、実施の形態２を説明する。実施の形態１と相違する事項を主に説明し、実施の形態１と共通する事項の説明を省略する。実施の形態２の説明では、図１，２を参照する。
図６は、実施の形態２の光通信装置の構成を示す機能ブロック図である。光通信装置１００ａは、記憶部１５０ａ、設定部１６０ａ、及び判定部１７０ａを有する。
図１に示される構成と同じ図６の構成は、図１に示される符号と同じ符号を付している。
【００６３】
記憶部１５０ａについては、後で説明する。
設定部１６０ａは、ＡＳＥ光の出力を光増幅器１１１に設定する。これにより、光増幅器１１１は、ＡＳＥ光を出力する。また、接続確認が終了した場合、設定部１６０ａは、ＡＳＥ光の出力停止を光増幅器１１１に設定する。
【００６４】
設定部１６０ａは、ＡＳＥ光の減衰量を波長選択スイッチ１２１に設定する。当該設定を具体的に説明する。
図７（Ａ）〜（Ｃ）は、設定部が実行する処理の具体例を示す図である。図７（Ａ）〜（Ｃ）の縦軸は、光レベルを示している。図７（Ａ）〜（Ｃ）の横軸は、時間を示している。
【００６５】
図７（Ａ）は、ポート１２３を介するＡＳＥ光の出力光レベルを示している。設定部１６０ａは、ポート１２３を介するＡＳＥ光が周期的に予め決められた減衰量で減衰するための設定を波長選択スイッチ１２１に行う。当該減衰量は、第１の減衰量とも言う。なお、図７（Ａ）の減衰量は、ゼロである。そのため、設定部１６０ａは、ポート１３１に入力されるＡＳＥ光の光レベルを一定にするための設定を波長選択スイッチ１２１に行う。設定部１６０ａが実行する処理により、分波部１２０は、ポート１２３を介するＡＳＥ光を周期的に第１の減衰量で減衰して送信する。
【００６６】
図７（Ｂ）は、ポート１２４を介するＡＳＥ光の出力光レベルを示している。設定部１６０ａは、ポート１２４を介するＡＳＥ光が周期的に第１の減衰量と異なる第２の減衰量で減衰するための設定を波長選択スイッチ１２１に行う。具体的には、設定部１６０ａは、１秒間隔でポート１２４を介するＡＳＥ光が３ｄＢ減衰するための設定を波長選択スイッチ１２１に行う。これにより、分波部１２０は、ポート１２４を介するＡＳＥ光を周期的に第２の減衰量で減衰して送信する。具体的には、波長選択スイッチ１２１は、１秒間隔でＡＳＥ光を３ｄＢ減衰して透過する。このように、周期的に減衰されたＡＳＥ光が、ポート１２４を介して送信される。
【００６７】
図７（Ｃ）は、ポート１２５を介するＡＳＥ光の出力光レベルを示している。設定部１６０ａは、ポート１２５を介するＡＳＥ光が周期的に第１，２の減衰量と異なる第３の減衰量で減衰するための設定を波長選択スイッチ１２１に行う。具体的には、設定部１６０ａは、１秒間隔でポート１２５を介するＡＳＥ光が６ｄＢ減衰するための設定を波長選択スイッチ１２１に行う。これにより、分波部１２０は、ポート１２５を介するＡＳＥ光を周期的に第３の減衰量で減衰して送信する。具体的には、波長選択スイッチ１２１は、１秒間隔でＡＳＥ光を６ｄＢ減衰して透過する。このように、周期的に減衰されたＡＳＥ光が、ポート１２５を介して送信される。
ポート１２３，１２４，１２５のそれぞれでＡＳＥ光の減衰量が異なるのであれば、減衰するタイミングなどは、変更してもよい。
【００６８】
また、設定部１６０ａは、ポート１２３，１２４，１２５のそれぞれから出力されるＡＳＥ光の帯域が異なるための設定を波長選択スイッチ１２１に行う。これにより、ポート１２３，１２４，１２５のそれぞれから出力されるＡＳＥ光の帯域は、異なるようになる。ポート１２３から出力されるＡＳＥ光の帯域は、第１の帯域とも言う。ポート１２４から出力されるＡＳＥ光の帯域は、第２の帯域とも言う。ポート１２５から出力されるＡＳＥ光の帯域は、第３の帯域とも言う。
【００６９】
ここで、記憶部１５０ａを説明する。記憶部１５０ａは、正常接続情報を記憶する。正常接続情報は、周期的に第１の減衰量で減衰しており、かつポート１２３から出力されるＡＳＥ光がポート１３１に入力されることを示す。また、正常接続情報は、周期的に第２の減衰量で減衰しており、かつポート１２４から出力されるＡＳＥ光がポート１３１ａに入力されることを示す。また、正常接続情報は、周期的に第３の減衰量で減衰しており、かつポート１２５から出力されるＡＳＥ光がポート１３１ｂに入力されることを示す。
【００７０】
また、記憶部１５０ａは、接続情報を記憶する。例えば、接続情報は、測定部１３４がポート１２４から出力されるＡＳＥ光の光レベルが周期的に第２の減衰量で減衰していることを測定した場合、ポート１３１に接続されている光ファイバがポート１２４に接続していることを示す。また、例えば、接続情報は、測定部１３４がポート１２５から出力されるＡＳＥ光の光レベルが周期的に第３の減衰量で減衰していることを測定した場合、ポート１３１に接続されている光ファイバがポート１２５に接続していることを示す。
【００７１】
判定部１７０ａは、測定部１３４がポート１３１に入力されたＡＳＥ光の光レベルが周期的に第１の減衰量で減衰していることを測定した場合、正常接続情報に基づいて、ポート１３１に正しい光ファイバが接続していると判定する。判定部１７０ａは、測定部１３４ａがポート１３１ａに入力されたＡＳＥ光の光レベルが周期的に第２の減衰量で減衰していることを測定した場合、正常接続情報に基づいて、ポート１３１ａに正しい光ファイバが接続していると判定する。判定部１７０ａは、測定部１３４ｂがポート１３１ｂに入力されたＡＳＥ光の光レベルが周期的に第３の減衰量で減衰していることを測定した場合、正常接続情報に基づいて、ポート１３１ｂに正しい光ファイバが接続していると判定する。
【００７２】
また、判定部１７０ａは、測定部１３４がポート１２４から出力されたＡＳＥ光の光レベルが周期的に第２の減衰量で減衰していることを測定した場合、正常接続情報に基づいて、ポート１３１に誤った光ファイバが接続していると判定する。判定部１７０ａは、測定部１３４がポート１２４から出力されたＡＳＥ光の光レベルが周期的に第２の減衰量で減衰していることを測定した場合、接続情報に基づいて、ポート１３１に接続している光ファイバがポート１２４に接続されていると判定する。
【００７３】
また、例えば、判定部１７０ａは、測定部１３４ａがポート１３１ａを介して、ポート１２４から出力されたＡＳＥ光の光レベルが周期的に第２の減衰量で減衰していることを測定した場合、正常接続情報に基づいて、ポート１３１ａに接続している光ファイバがポート１２４に接続していると判定する。そして、判定部１７０ａは、ポート１３１ａに正しい光ファイバが接続していると判定する。
【００７４】
図８は、実施の形態２の接続確認処理を示すフローチャート（その１）である。図８，９は、ポート１２３に接続されている光ファイバがポート１３１に接続されているかを判定する例を示す。また、図８，９の処理は、通常運用時ではないときに実行される。
【００７５】
（ステップＳ３１）設定部１６０ａは、ＡＳＥ光の出力を光増幅器１１１に設定する。これにより、光増幅器１１１は、ＡＳＥ光を出力する。
（ステップＳ３２）設定部１６０ａは、図７のように、ポート毎に、ＡＳＥ光の減衰量を波長選択スイッチ１２１に設定する。
【００７６】
（ステップＳ３３）判定部１７０ａは、測定部１３４が測定したＡＳＥ光の光レベルを取得する。判定部１７０ａは、光レベルが一定であるか否かを判定する。光レベルが一定である場合、判定部１７０ａは、処理をステップＳ３４に進める。光レベルが一定でない場合、判定部１７０ａは、処理をステップＳ３７に進める。
【００７７】
（ステップＳ３４）判定部１７０ａは、正常接続情報に基づいて、ポート１２３に接続されている光ファイバがポート１３１に接続されていると判定する。そして、判定部１７０ａは、正常接続情報に基づいて、正常な接続状態と判定する。
（ステップＳ３５）出力部１８０は、判定の結果を出力する。
【００７８】
（ステップＳ３６）設定部１６０ａは、停止処理を実行する。詳細には、設定部１６０ａは、ＡＳＥ光の透過停止を波長選択スイッチ１２１に設定する。設定部１６０ａは、ＡＳＥ光の出力停止を光増幅器１１１に設定する。そして、処理は、終了する。
【００７９】
（ステップＳ３７）判定部１７０ａは、光レベルの変化量が３ｄＢであるか否かを判定する。すなわち、判定部１７０ａは、１秒間隔でＡＳＥ光が３ｄＢ減衰しているか否かを判定する。
光レベルの変化量が３ｄＢである場合、判定部１７０ａは、処理をステップＳ３８に進める。光レベルの変化量が３ｄＢでない場合、判定部１７０ａは、処理をステップＳ４１に進める。
（ステップＳ３８）判定部１７０ａは、正常接続情報に基づいて、誤接続状態と判定する。判定部１７０ａは、接続情報に基づいて、ポート１２４に接続されている光ファイバがポート１３１に接続されていると判定する。そして、処理は、ステップＳ３５に進む。
【００８０】
図９は、実施の形態２の接続確認処理を示すフローチャート（その２）である。
（ステップＳ４１）判定部１７０ａは、光レベルの変化量が６ｄＢであるか否かを判定する。すなわち、判定部１７０ａは、１秒間隔でＡＳＥ光が６ｄＢ減衰しているか否かを判定する。
光レベルの変化量が６ｄＢである場合、判定部１７０ａは、処理をステップＳ４２に進める。光レベルの変化量が６ｄＢでない場合、判定部１７０ａは、処理をステップＳ４３に進める。
【００８１】
（ステップＳ４２）判定部１７０ａは、正常接続情報に基づいて、誤接続状態と判定する。そして、判定部１７０ａは、接続情報に基づいて、ポート１２５に接続されている光ファイバがポート１３１に接続されていると判定する。そして、処理は、ステップＳ３５に進む。
（ステップＳ４３）判定部１７０ａは、ポート１３１に光ファイバが接続されていないと判定する。または、判定部１７０ａは、送信ポートと送信ポートとに同じ光ファイバが接続されていると判定する。そして、処理は、ステップＳ３５に進む。
【００８２】
図８，９は、ポート１２３に接続されている光ファイバがポート１３１に接続されているかを判定する場合を例示した。ポート１２４に接続されている光ファイバがポート１３１ａに接続されているかを判定する処理の流れは、図８，９が示す処理の流れと同じである。但し、判定部１７０ａは、測定部１３４ａが測定したＡＳＥ光の光レベルを用いて判定する。また、ステップＳ３４では、判定部１７０ａは、誤接続状態と判定する。ステップＳ３８では、判定部１７０ａは、正常な接続状態と判定する。同様に、ポート１２５に接続されている光ファイバがポート１３１ｂに接続されているかを判定する処理の流れは、図８，９が示す処理の流れと同じである。但し、判定部１７０ａは、測定部１３４ｂが測定したＡＳＥ光の光レベルを用いて判定する。また、ステップＳ３４では、判定部１７０ａは、誤接続状態と判定する。ステップＳ４２では、判定部１７０ａは、正常な接続状態と判定する。
【００８３】
実施の形態２によれば、光通信装置１００ａは、テスト信号を生成する装置を新たに設けないで、光ファイバの接続確認を行う。すなわち、光通信装置１００ａは、光増幅器１１１が出力するＡＳＥ光を用いて光ファイバの接続確認を行うことで、テスト信号を生成する装置を新たに設けなくて済む。よって、実施の形態２は、コストを抑制することができる。
【００８４】
また、それぞれ異なる帯域である複数の光信号を分波部１２０が同時に送信した場合、光通信装置１００ａは、複数の接続確認を同時に行うことができる。よって、それぞれ異なる帯域である複数の光信号を分波部１２０が同時に送信した場合、光通信装置１００ａは、接続確認処理の時間を短くできる。
【００８５】
実施の形態３．
次に、実施の形態３を説明する。実施の形態１と相違する事項を主に説明し、実施の形態１と共通する事項の説明を省略する。実施の形態３の説明では、図１，２を参照する。
図１０は、実施の形態３の光通信装置の構成を示す機能ブロック図である。光通信装置１００ｂは、記憶部１５０ｂ、設定部１６０ｂ、及び判定部１７０ｂを有する。
また、分波部１２０は、さらに、光分岐器１２６，１２６ａ，１２６ｂと送信側測定部１２７，１２７ａ，１２７ｂを有する。ここで、送信側測定部１２７は、第１の送信側測定部とも言う。例えば、送信側測定部１２７ａは、第２の送信側測定部とも言う。
【００８６】
送信側測定部１２７は、光分岐器１２６を介して、ポート１２３から出力される前のＡＳＥ光の光レベルを測定する。送信側測定部１２７ａは、光分岐器１２６ａを介して、ポート１２４から出力される前のＡＳＥ光の光レベルを測定する。送信側測定部１２７ｂは、光分岐器１２６ｂを介して、ポート１２５から出力される前のＡＳＥ光の光レベルを測定する。
【００８７】
図１に示される構成と同じ図１０の構成は、図１に示される符号と同じ符号を付している。また、図１０では、送信光増幅部１４０，１４０ａ，１４０ｂの図示は、省略している。測定部１３４，１３４ａ，１３４ｂと判定部１７０ｂとの繋がりを示す接続線は、省略している。送信側測定部１２７，１２７ａ，１２７ｂと判定部１７０ｂとの繋がりを示す接続線は、省略している。
【００８８】
記憶部１５０ｂについては、後で説明する。
設定部１６０ｂは、ＡＳＥ光の出力を光増幅器１１１に設定する。これにより、光増幅器１１１は、ＡＳＥ光を出力する。また、接続確認が終了した場合、設定部１６０ｂは、ＡＳＥ光の出力停止を光増幅器１１１に設定する。
【００８９】
設定部１６０ｂは、ポート毎に異なる帯域を透過するための設定を波長選択スイッチ１２１に行う。当該設定を具体的に説明する。
図１１（Ａ）〜（Ｃ）は、設定部が実行する処理の具体例を示す図である。図１１（Ａ）〜（Ｃ）の縦軸は、光レベルを示している。図１１（Ａ）〜（Ｃ）の横軸は、波長を示している。
【００９０】
図１１（Ａ）は、ポート１２３を介するＡＳＥ光の帯域を示している。設定部１６０ｂは、広帯域のＡＳＥ光がポート１２３を介して出力されるための設定を波長選択スイッチ１２１に行う。広帯域のＡＳＥ光は、複数の波長であり、後述の中帯域のＡＳＥ光における波長の数より多い。また、広帯域のＡＳＥ光の波長は、中帯域のＡＳＥ光の波長と異なる。
【００９１】
図１１（Ｂ）は、ポート１２４を介するＡＳＥ光の帯域を示している。設定部１６０ｂは、中帯域のＡＳＥ光がポート１２４を介して出力されるための設定を波長選択スイッチ１２１に行う。中帯域のＡＳＥ光は、複数の波長であり、後述の狭帯域のＡＳＥ光における波長の数より多い。また、中帯域のＡＳＥ光の波長は、狭帯域のＡＳＥ光の波長と異なる。
【００９２】
図１１（Ｃ）は、ポート１２５を介するＡＳＥ光の帯域を示している。設定部１６０ｂは、狭帯域のＡＳＥ光がポート１２５を介して出力されるための設定を波長選択スイッチ１２１に行う。
【００９３】
なお、各ポートから出力されるＡＳＥ光のトータル光レベルが異なっていれば、図１１が示す帯域幅が同じで、各ポートから出力されるＡＳＥ光のそれぞれは、それぞれ異なる減衰量で減衰されてもよい。例えば、分波部１２０は、ポート１２３を介して出力されるＡＳＥ光を第１の減衰量で減衰して送信する。分波部１２０は、ポート１２４を介して出力されるＡＳＥ光を第２の減衰量で減衰して送信する。分波部１２０は、ポート１２５を介して出力されるＡＳＥ光を第３の減衰量で減衰して送信する。
【００９４】
記憶部１５０ｂは、正常接続情報を記憶する。正常接続情報は、送信側測定部１２７が測定した光レベルと測定部１３４が測定した光レベルとの差が予め決められた第１の閾値以下の場合、ポート１３１に正しい光ファイバが接続していることを示す。また、正常接続情報は、送信側測定部１２７ａが測定した光レベルと測定部１３４ａが測定した光レベルとの差が予め決められた第２の閾値以下の場合、ポート１３１ａに正しい光ファイバが接続していることを示す。さらに、正常接続情報は、送信側測定部１２７ｂが測定した光レベルと測定部１３４ｂが測定した光レベルとの差が予め決められた第３の閾値以下の場合、ポート１３１ｂに正しい光ファイバが接続していることを示す。
【００９５】
例えば、第１の閾値、第２の閾値、第３の閾値は、１ｄＢである。第１の閾値、第２の閾値、第３の閾値のそれぞれは、異なる値でもよい。
【００９６】
また、記憶部１５０ｂは、接続情報を記憶する。例えば、接続情報は、送信側測定部１２７ａが測定した光レベルと測定部１３４が測定した光レベルとの差が第２の閾値以下の場合、ポート１３１に接続されている光ファイバがポート１２４に接続していることを示す。また、例えば、接続情報は、送信側測定部１２７ｂが測定した光レベルと測定部１３４が測定した光レベルとの差が第３の閾値以下の場合、ポート１３１に接続されている光ファイバがポート１２５に接続していることを示す。
【００９７】
判定部１７０ｂは、送信側測定部１２７が測定した光レベルと測定部１３４が測定した光レベルとの差が第１の閾値以下の場合、正常接続情報に基づいて、ポート１３１に正しい光ファイバが接続していると判定する。判定部１７０ｂは、送信側測定部１２７ａが測定した光レベルと測定部１３４ａが測定した光レベルとの差が第２の閾値以下の場合、正常接続情報に基づいて、ポート１３１ａに正しい光ファイバが接続していると判定する。判定部１７０ｂは、送信側測定部１２７ｂが測定した光レベルと測定部１３４ｂが測定した光レベルとの差が第３の閾値以下の場合、正常接続情報に基づいて、ポート１３１ｂに正しい光ファイバが接続していると判定する。
【００９８】
また、判定部１７０ｂは、送信側測定部１２７が測定した光レベルと測定部１３４が測定した光レベルとの差が第１の閾値を超える場合、正常接続情報に基づいて、ポート１３１に誤った光ファイバが接続していると判定する。判定部１７０ｂは、送信側測定部１２７ａが測定した光レベルと測定部１３４ａが測定した光レベルとの差が第２の閾値を超える場合、正常接続情報に基づいて、ポート１３１ａに誤った光ファイバが接続していると判定する。判定部１７０ｂは、送信側測定部１２７ｂが測定した光レベルと測定部１３４ｂが測定した光レベルとの差が第３の閾値を超える場合、正常接続情報に基づいて、ポート１３１ｂに誤った光ファイバが接続していると判定する。
【００９９】
判定部１７０ｂは、送信側測定部１２７ａが測定した光レベルと測定部１３４が測定した光レベルとの差が第２の閾値以下の場合、接続情報に基づいて、ポート１３１に接続されている光ファイバがポート１２４に接続していると判定する。判定部１７０ｂは、送信側測定部１２７ｂが測定した光レベルと測定部１３４が測定した光レベルとの差が第３の閾値以下の場合、接続情報に基づいて、ポート１３１に接続されている光ファイバがポート１２５に接続していると判定する。
【０１００】
また、例えば、判定部１７０ｂは、送信側測定部１２７ａが測定した光レベルと測定部１３４ａが測定した光レベルとの差が第２の閾値以下の場合、正常接続情報に基づいて、ポート１３１ａに接続している光ファイバがポート１２４に接続していると判定する。そして、判定部１７０ｂは、ポート１３１ａに正しい光ファイバが接続していると判定する。
【０１０１】
図１２は、実施の形態３の接続確認処理を示すフローチャート（その１）である。図１２，１３は、ポート１２３に接続されている光ファイバがポート１３１に接続されているかを判定する例を示す。また、図１２，１３の処理は、通常運用時ではないときに実行される。
【０１０２】
（ステップＳ５１）設定部１６０ｂは、ＡＳＥ光の出力を光増幅器１１１に設定する。これにより、光増幅器１１１は、ＡＳＥ光を出力する。
（ステップＳ５２）設定部１６０ｂは、図１１のように、ポート毎に異なる帯域を透過するための設定を波長選択スイッチ１２１に行う。
【０１０３】
（ステップＳ５３）判定部１７０ｂは、送信側測定部１２７が測定したＡＳＥ光の光レベルと、測定部１３４が測定したＡＳＥ光の光レベルとを取得する。
判定部１７０ｂは、送信側測定部１２７が測定したＡＳＥ光の光レベルと、測定部１３４が測定したＡＳＥ光の光レベルとの差が第１の閾値以下であるか否かを判定する。例えば、閾値は、１ｄＢである。
差が第１の閾値以下である場合、判定部１７０ｂは、処理をステップＳ５４に進める。差が第１の閾値を超える場合、判定部１７０ｂは、処理をステップＳ５７に進める。
【０１０４】
（ステップＳ５４）判定部１７０ｂは、正常接続情報に基づいて、ポート１２３に接続されている光ファイバがポート１３１に接続されていると判定する。そして、判定部１７０ｂは、正常接続情報に基づいて、正常な接続状態と判定する。
（ステップＳ５５）出力部１８０は、判定の結果を出力する。
（ステップＳ５６）設定部１６０ｂは、停止処理を実行する。詳細には、設定部１６０ｂは、ＡＳＥ光の透過停止を波長選択スイッチ１２１に設定する。設定部１６０ｂは、ＡＳＥ光の出力停止を光増幅器１１１に設定する。そして、処理は、終了する。
【０１０５】
（ステップＳ５７）判定部１７０ｂは、送信側測定部１２７ａが測定したＡＳＥ光の光レベルを取得する。
判定部１７０ｂは、送信側測定部１２７ａが測定したＡＳＥ光の光レベルと、測定部１３４が測定したＡＳＥ光の光レベルとの差が第２の閾値以下であるか否かを判定する。
差が第２の閾値以下である場合、判定部１７０ｂは、処理をステップＳ５８に進める。差が第２の閾値を超える場合、判定部１７０ｂは、処理をステップＳ６１に進める。
（ステップＳ５８）判定部１７０ｂは、正常接続情報に基づいて、誤接続状態と判定する。判定部１７０ｂは、接続情報に基づいて、ポート１２４に接続されている光ファイバがポート１３１に接続されていると判定する。そして、処理は、ステップＳ５５に進む。
【０１０６】
図１３は、実施の形態３の接続確認処理を示すフローチャート（その２）である。
（ステップＳ６１）判定部１７０ｂは、送信側測定部１２７ｂが測定したＡＳＥ光の光レベルを取得する。
判定部１７０ｂは、送信側測定部１２７ｂが測定したＡＳＥ光の光レベルと、測定部１３４が測定したＡＳＥ光の光レベルとの差が第３の閾値以下であるか否かを判定する。
差が第３の閾値以下である場合、判定部１７０ｂは、処理をステップＳ６２に進める。差が第３の閾値を超える場合、判定部１７０ｂは、処理をステップＳ６３に進める。
【０１０７】
（ステップＳ６２）判定部１７０ｂは、正常接続情報に基づいて、誤接続状態と判定する。そして、判定部１７０ｂは、接続情報に基づいて、ポート１２５に接続されている光ファイバがポート１３１に接続されていると判定する。そして、処理は、ステップＳ５５に進む。
（ステップＳ６３）判定部１７０ｂは、ポート１３１に光ファイバが接続されていないと判定する。または、判定部１７０ｂは、送信ポートと送信ポートとに同じ光ファイバが接続されていると判定する。そして、処理は、ステップＳ５５に進む。
【０１０８】
図１２，１３は、ポート１２３に接続されている光ファイバがポート１３１に接続されているかを判定する場合を例示した。ポート１２４に接続されている光ファイバがポート１３１ａに接続されているかを判定する処理の流れは、図１２，１３が示す処理の流れと同じである。但し、判定部１７０ｂは、測定部１３４ａが測定したＡＳＥ光の光レベルを用いて判定する。また、ステップＳ５４では、判定部１７０ｂは、誤接続状態と判定する。ステップＳ５８では、判定部１７０ｂは、正常な接続状態と判定する。同様に、ポート１２５に接続されている光ファイバがポート１３１ｂに接続されているかを判定する処理の流れは、図１２，１３が示す処理の流れと同じである。但し、判定部１７０ｂは、測定部１３４ｂが測定したＡＳＥ光の光レベルを用いて判定する。また、ステップＳ５４では、判定部１７０ｂは、誤接続状態と判定する。ステップＳ６２では、判定部１７０ｂは、正常な接続状態と判定する。
【０１０９】
実施の形態３によれば、光通信装置１００ｂは、テスト信号を生成する装置を新たに設けないで、光ファイバの接続確認を行う。すなわち、光通信装置１００ｂは、光増幅器１１１が出力するＡＳＥ光を用いて光ファイバの接続確認を行うことで、テスト信号を生成する装置を新たに設けなくて済む。よって、実施の形態３は、コストを抑制することができる。
【０１１０】
また、それぞれ異なる帯域である複数の光信号を分波部１２０が同時に送信した場合、光通信装置１００ｂは、複数の接続確認を同時に行うことができる。よって、それぞれ異なる帯域である複数の光信号を分波部１２０が同時に送信した場合、光通信装置１００ｂは、接続確認処理の時間を短くできる。
【０１１１】
実施の形態４．
次に、実施の形態４を説明する。実施の形態１と相違する事項を主に説明し、実施の形態１と共通する事項の説明を省略する。実施の形態４の説明では、図１，２を参照する。
図１４は、実施の形態４の光通信装置の構成を示す機能ブロック図である。光通信装置１００ｃは、合波部１３０１，１３０ａ１，１３０ｂ１、記憶部１５０ｃ、設定部１６０ｃ、及び判定部１７０ｃを有する。
【０１１２】
合波部１３０１は、光分岐器１３７及び測定部１３８を有する。合波部１３０ａ１は、光分岐器１３７ａ及び測定部１３８ａを有する。合波部１３０ｂ１は、光分岐器１３７ｂ及び測定部１３８ｂを有する。例えば、測定部１３８，１３８ａ，１３８ｂは、ＯＣＭ（Ｏｐｔｉｃａｌ  Ｃｈａｎｎｅｌ  Ｍｏｎｉｔｏｒ）を用いて実現できる。測定部１３８は、第１の測定部とも言う。測定部１３８ａは、第２の測定部とも言う。
【０１１３】
測定部１３８は、光分岐器１３７を介して、波長選択スイッチ１３５から出力されたＡＳＥ光の波長毎の光レベルを測定する。この文は、次のように表現してもよい。測定部１３８は、光分岐器１３７を介して、ポート１３１に入力されたＡＳＥ光の波長毎の光レベルを測定する。
【０１１４】
測定部１３８ａは、光分岐器１３７ａを介して、波長選択スイッチ１３５ａから出力されたＡＳＥ光の波長毎の光レベルを測定する。この文は、次のように表現してもよい。測定部１３８ａは、光分岐器１３７ａを介して、ポート１３１ａに入力されたＡＳＥ光の波長毎の光レベルを測定する。
【０１１５】
測定部１３８ｂは、光分岐器１３７ｂを介して、波長選択スイッチ１３５ｂから出力されたＡＳＥ光の波長毎の光レベルを測定する。この文は、次のように表現してもよい。測定部１３８ｂは、光分岐器１３７ｂを介して、ポート１３１ｂに入力されたＡＳＥ光の波長毎の光レベルを測定する。
【０１１６】
図１に示される構成と同じ図１４の構成は、図１に示される符号と同じ符号を付している。また、図１４では、送信光増幅部１４０，１４０ａ，１４０ｂの図示は、省略している。測定部１３８，１３８ａ，１３８ｂと判定部１７０ｃとの繋がりを示す接続線は、省略している。
【０１１７】
記憶部１５０ｃについては、後で説明する。
設定部１６０ｃは、複数のＡＳＥ光の出力を光増幅器１１１に設定する。これにより、光増幅器１１１は、複数のＡＳＥ光を出力する。また、接続確認が終了した場合、設定部１６０ｃは、ＡＳＥ光の出力停止を光増幅器１１１に設定する。
【０１１８】
設定部１６０ｃは、ポート毎に異なる帯域を透過するための設定を波長選択スイッチ１２１に行う。当該設定を具体的に説明する。
図１５（Ａ）〜（Ｃ）は、設定部が実行する処理の具体例を示す図である。図１５（Ａ）〜（Ｃ）の縦軸は、光レベルを示している。図１５（Ａ）〜（Ｃ）の横軸は、波長を示している。
【０１１９】
図１５（Ａ）は、ポート１２３を介する複数のＡＳＥ光の帯域を示している。設定部１６０ｂは、λ１〜１０のＡＳＥ光がポート１２３を介して出力されるための設定を波長選択スイッチ１２１に行う。これにより、分波部１２０は、ポート１２３を介して、第１の帯域におけるλ１〜１０のＡＳＥ光を送信する。λ１〜１０のＡＳＥ光は、複数の第１の光信号とも言う。
図１５（Ｂ）は、ポート１２４を介する複数のＡＳＥ光の帯域を示している。設定部１６０ｂは、λ１１〜２０のＡＳＥ光がポート１２４を介して出力されるための設定を波長選択スイッチ１２１に行う。これにより、分波部１２０は、ポート１２４を介して、第２の帯域におけるλ１１〜２０のＡＳＥ光を送信する。λ１１〜２０のＡＳＥ光は、複数の第２の光信号とも言う。
【０１２０】
図１５（Ｃ）は、ポート１２５を介する複数のＡＳＥ光の帯域を示している。設定部１６０ｂは、λ２１〜３０のＡＳＥ光がポート１２５を介して出力されるための設定を波長選択スイッチ１２１に行う。これにより、分波部１２０は、ポート１２５を介して、第３の帯域におけるλ２１〜３０のＡＳＥ光を送信する。λ２１〜３０のＡＳＥ光は、複数の第３の光信号とも言う。
各ポートから出力されるＡＳＥ光の帯域が異なっていれば、各ポートから出力されるＡＳＥ光の波長の数は、任意でよい。
【０１２１】
記憶部１５０ｃは、正常接続情報を記憶する。正常接続情報は、ポート１２３から出力された複数のＡＳＥ光がポート１３１に入力されることを示す。すなわち、正常接続情報は、ポート１２３から出力されたλ１〜１０のＡＳＥ光がポート１３１に入力されることを示す。また、正常接続情報は、ポート１２４から出力された複数のＡＳＥ光がポート１３１ａに入力されることを示す。すなわち、正常接続情報は、ポート１２４から出力されたλ１１〜２０のＡＳＥ光がポート１３１ａに入力されることを示す。さらに、正常接続情報は、ポート１２５から出力された複数のＡＳＥ光がポート１３１ｂに入力されることを示す。すなわち、正常接続情報は、ポート１２５から出力されたλ２１〜３０のＡＳＥ光がポート１３１ｂに入力されることを示す。
【０１２２】
記憶部１５０ｃは、接続情報を記憶する。接続情報は、ポート１２４から出力された複数のＡＳＥ光のそれぞれの光レベルを測定部１３８が測定した場合、ポート１３１に接続されている光ファイバがポート１２４に接続していることを示す。また、接続情報は、ポート１２５から出力された複数のＡＳＥ光のそれぞれの光レベルを測定部１３８が測定した場合、ポート１３１に接続されている光ファイバがポート１２５に接続していることを示す。接続情報は、測定部１３８ａがポート１２４以外のポートから出力された複数のＡＳＥ光のそれぞれの光レベルを測定した場合、ポート１３１ａに接続されている光ファイバがどのポートに接続しているかを示す。接続情報は、測定部１３８ｂがポート１２５以外のポートから出力された複数のＡＳＥ光のそれぞれの光レベルを測定した場合、ポート１３１ｂに接続されている光ファイバがどのポートに接続しているかを示す。
【０１２３】
判定部１７０ｃは、λ１〜１０のＡＳＥ光のそれぞれの光レベルを測定部１３８が測定した場合、正常接続情報に基づいて、ポート１３１に正しい光ファイバが接続していると判定する。判定部１７０ｃは、λ１１〜２０のＡＳＥ光のそれぞれの光レベルを測定部１３８ａが測定した場合、正常接続情報に基づいて、ポート１３１ａに正しい光ファイバが接続していると判定する。判定部１７０ｃは、λ２１〜３０のＡＳＥ光のそれぞれの光レベルを測定部１３８ｂが測定した場合、正常接続情報に基づいて、ポート１３１ｂに正しい光ファイバが接続していると判定する。
【０１２４】
例えば、判定部１７０ｃは、λ１１〜２０のＡＳＥ光のそれぞれの光レベルを測定部１３８が測定した場合、正常接続情報に基づいて、ポート１３１に誤った光ファイバが接続していると判定する。判定部１７０ｃは、接続情報に基づいて、ポート１３１に接続している光ファイバがポート１２４に接続されていると判定する。
【０１２５】
また、例えば、判定部１７０ｃは、測定部１３８がポート１３１ａを介して、ポート１２４から出力された複数のＡＳＥ光の光レベルを測定した場合、正常接続情報に基づいて、ポート１３１ａに接続している光ファイバがポート１２４に接続していると判定する。そして、判定部１７０ｃは、ポート１３１ａに正しい光ファイバが接続していると判定する。
【０１２６】
図１６は、実施の形態４の接続確認処理を示すフローチャート（その１）である。図１６，１７は、ポート１２３に接続されている光ファイバがポート１３１に接続されているかを判定する例を示す。また、図１６，１７の処理は、通常運用時ではないときに実行される。
【０１２７】
（ステップＳ７１）設定部１６０ｃは、複数のＡＳＥ光の出力を光増幅器１１１に設定する。これにより、光増幅器１１１は、複数のＡＳＥ光を出力する。
（ステップＳ７２）設定部１６０ｃは、図１５のように、ポート毎に異なる帯域を透過するための設定を波長選択スイッチ１２１に行う。
また、設定部１６０ｃは、ポート１３１から出力されたＡＳＥ光の全帯域を透過するための設定を波長選択スイッチ１３５に行う。
【０１２８】
（ステップＳ７３）判定部１７０ｃは、測定部１３８が測定した複数のＡＳＥ光の光レベルを取得する。判定部１７０ｃは、測定部１３８がλ１〜１０の光レベルを測定したか否かを判定する。測定部１３８がλ１〜１０の光レベルを測定した場合、判定部１７０ｃは、処理をステップＳ７４に進める。測定部１３８がλ１〜１０の光レベルを測定していない場合、判定部１７０ｃは、処理をステップＳ７７に進める。
【０１２９】
（ステップＳ７４）判定部１７０ｃは、正常接続情報に基づいて、ポート１２３に接続されている光ファイバがポート１３１に接続されていると判定する。そして、判定部１７０ｃは、正常接続情報に基づいて、正常な接続状態と判定する。
（ステップＳ７５）出力部１８０は、判定の結果を出力する。
【０１３０】
（ステップＳ７６）設定部１６０ｃは、停止処理を実行する。詳細には、設定部１６０ｃは、複数のＡＳＥ光の透過停止を波長選択スイッチ１３５に設定する。設定部１６０ｃは、複数のＡＳＥ光の透過停止を波長選択スイッチ１２１に設定する。設定部１６０ｃは、複数のＡＳＥ光の出力停止を光増幅器１１１に設定する。そして、処理は、終了する。
（ステップＳ７７）判定部１７０ｃは、測定部１３８がλ１１〜２０の光レベルを測定したか否かを判定する。測定部１３８がλ１１〜２０の光レベルを測定した場合、処理をステップＳ７８に進める。測定部１３８がλ１１〜２０の光レベルを測定していない場合、判定部１７０ｃは、処理をステップＳ８１に進める。
【０１３１】
（ステップＳ７８）判定部１７０ｃは、正常接続情報に基づいて、誤接続状態と判定する。判定部１７０ｃは、接続情報に基づいて、ポート１２４に接続されている光ファイバがポート１３１に接続されていると判定する。そして、処理は、ステップＳ７５に進む。
【０１３２】
図１７は、実施の形態４の接続確認処理を示すフローチャート（その２）である。
（ステップＳ８１）判定部１７０ｃは、測定部１３８がλ２１〜３０の光レベルを測定したか否かを判定する。測定部１３８がλ２１〜３０の光レベルを測定した場合、処理をステップＳ８２に進める。測定部１３８がλ２１〜３０の光レベルを測定していない場合、判定部１７０ｃは、処理をステップＳ８３に進める。
【０１３３】
（ステップＳ８２）判定部１７０ｃは、正常接続情報に基づいて、誤接続状態と判定する。そして、判定部１７０ｃは、接続情報に基づいて、ポート１２５に接続されている光ファイバがポート１３１に接続されていると判定する。そして、処理は、ステップＳ７５に進む。
（ステップＳ８３）判定部１７０ｃは、ポート１３１に光ファイバが接続されていないと判定する。または、判定部１７０ｃは、送信ポートと送信ポートとに同じ光ファイバが接続されていると判定する。そして、処理は、ステップＳ７５に進む。
【０１３４】
図１７，１８は、ポート１２３に接続されている光ファイバがポート１３１に接続されているかを判定する場合を例示した。ポート１２４に接続されている光ファイバがポート１３１ａに接続されているかを判定する処理の流れは、図１７，１８が示す処理の流れと同じである。但し、判定部１７０ｃは、測定部１３８ａが測定した複数のＡＳＥ光の光レベルを用いて判定する。また、ステップＳ７４では、判定部１７０ｃは、誤接続状態と判定する。ステップＳ７８では、判定部１７０ｃは、正常な接続状態と判定する。同様に、ポート１２５に接続されている光ファイバがポート１３１ｂに接続されているかを判定する処理の流れは、図１７，１８が示す処理の流れと同じである。但し、判定部１７０ｃは、測定部１３８ｂが測定した複数のＡＳＥ光の光レベルを用いて判定する。また、ステップＳ７４では、判定部１７０ｃは、誤接続状態と判定する。ステップＳ８２では、判定部１７０ｃは、正常な接続状態と判定する。
【０１３５】
実施の形態４によれば、光通信装置１００ｃは、テスト信号を生成する装置を新たに設けないで、光ファイバの接続確認を行う。すなわち、光通信装置１００ｃは、光増幅器１１１が出力する複数のＡＳＥ光を用いて光ファイバの接続確認を行うことで、テスト信号を生成する装置を新たに設けなくて済む。よって、実施の形態４は、コストを抑制することができる。
【０１３６】
また、それぞれ異なる帯域である複数の光信号を分波部１２０が同時に送信した場合、光通信装置１００ｃは、複数の接続確認を同時に行うことができる。よって、それぞれ異なる帯域である複数の光信号を分波部１２０が同時に送信した場合、光通信装置１００ｃは、接続確認処理の時間を短くできる。
【０１３７】
ここで、実施の形態２〜４では、第３のポートがポート１２４であると説明した。しかし、第３のポートは、ポート１２５でもよい。第３のポートがポート１２５である場合、第２の受信部は、合波部１３０ｂである。第４のポートは、ポート１３１ｂである。第２の測定部は、測定部１３４ｂ又は測定部１３８ｂである。第２の送信側測定部は、送信側測定部１２７ｂである。第２の光信号は、ポート１２５から出力されるＡＳＥ光である。第３の光信号は、ポート１２４から出力されるＡＳＥ光である。
【０１３８】
実施の形態５．
次に、実施の形態５を説明する。実施の形態１〜４と相違する事項を主に説明し、実施の形態１〜４と共通する事項の説明を省略する。実施の形態５の説明では、図１〜１７を参照する。
図１８は、実施の形態５の光通信装置の構成を示す機能ブロック図である。光通信装置１００ｄは、設定部１６０ｄ、判定部１７０ｄ、受信光増幅部２１０、分波部２２０、及び合波部２３０を有する。また、光通信装置１００ｄは、合波部２３０に接続する送信光増幅部をさらに有する。当該送信光増幅部の図示は、省略している。
【０１３９】
図１に示される構成と同じ図１８の構成は、図１に示される符号と同じ符号を付している。また、図１８では、送信光増幅部１４０，１４０ａ，１４０ｂ、及び合波部１３０ａ，１３０ｂの図示は、省略している。
設定部１６０ｄの機能は、設定部１６０〜１６０ｃの機能を有する。判定部１７０ｄの機能は、判定部１７０〜１７０ｃの機能を有する。測定部１３４などと判定部１７０ｄとの繋がりを示す接続線は、省略している。
【０１４０】
受信光増幅部２１０は、光増幅器２１１及びポート２１２，２１３を有する。光増幅器２１１は、光通信装置１００が受信した光信号を増幅する。ポート２１２は、光通信装置１００ｄと光伝送路とが光通信するためのポートである。ポート２１３は、受信光増幅部２１０と分波部２２０とが光通信するためのポートである。
【０１４１】
分波部２２０は、波長選択スイッチ２２１、ポート２２２，２２３，２２４、光分岐器２２５、及び測定部２２６を有する。まず、ポート２２２，２２３，２２４を説明する。ポート２２２は、受信光増幅部２１０と分波部２２０とが光通信するためのポートである。当該ポートは、受信ポートとも言う。ポート２２３，２２４は、分波部２２０と合波部２３０とが光通信するためのポートである。当該ポートは、送信ポートとも言う。送信ポートの数は、２つ以上でもよい。波長選択スイッチ２２１は、任意の波長の光信号を選択することができる。波長選択スイッチ２２１は、選択した任意の波長の光信号を、いずれかの送信ポートを介して出力することができる。測定部２２６は、光分岐器２２５を介して、ポート２２３から出力される前の光信号の光レベルを測定する。また、測定部２２６は、光分岐器２２５を介して、ポート２２３に入力された光信号の光レベルを測定することもできる。
【０１４２】
合波部２３０は、波長選択スイッチ２３１、ポート２３２，２３３，２３４，２３５，２３６、光分岐器２３７，２３７ａ，２３７ｂ、及び測定部２３８，２３８ａ，２３８ｂを有する。まず、ポート２３２，２３３，２３４，２３５を説明する。ポート２３２は、分波部１２０と合波部２３０とが光通信するためのポートである。ポート２３３，２３４，２３５は、合波部２３０と分波部２２０などとが光通信するためのポートである。波長選択スイッチ２３１は、選択した任意の波長の光信号を合波することができる。波長選択スイッチ２３１は、ポート２３６を介して、合波した光信号を出力する。また、波長選択スイッチ２３１は、任意の波長の光信号を選択することができる。波長選択スイッチ２３１は、選択した任意の波長の光信号を、ポート２３３などを介して出力することができる。ポート２３６は、合波部２３０と送信光増幅部が光通信するためのポートである。測定部２３８の機能は、測定部２３８ａ，２３８ｂとほぼ同じである。そのため、測定部２３８の機能を説明する。そして、測定部２３８ａ，２３８ｂの機能の説明は、省略する。測定部２３８は、光分岐器２３７を介して、ポート２３３に入力された光信号の光レベルを測定する。また、測定部２３８は、光分岐器２３７を介して、ポート２３３から出力される前の光信号の光レベルを測定することができる。
【０１４３】
ここで、実施の形態１〜４のように、光通信装置は、光増幅器２１１が出力したＡＳＥ光を用いて接続確認を行いたい場合がある。例えば、光通信装置は、光増幅器２１１が出力したＡＳＥ光を用いて、分波部２２０と合波部２３０とに光ファイバ１４が接続しているか否かを確認したい場合がある。しかし、光増幅器２１１が故障している場合、光増幅器２１１は、ＡＳＥ光を出力できない。
【０１４４】
そこで、実施の形態５では、光増幅器１１１が出力したＡＳＥ光を用いて接続確認が行われる。当該ＡＳＥ光は、ポート１２５及びポート２３２を介して、波長選択スイッチ２３１に出力される。ここで、合波部２３０は、分波部と考える。また、分波部２２０は、合波部と考える。そして、設定部１６０ｄは、実施の形態１〜４で分波部１２０などに行った設定処理を、合波部２３０に対して設定処理を行う。設定部１６０ｄは、実施の形態４で合波部１３０に行った設定処理を、分波部２２０に対して設定処理を行ってもよい。
【０１４５】
また、当該ＡＳＥ光は、ポート１２５を介して、波長選択スイッチ２２１に出力されてもよい。設定部１６０ｄは、実施の形態１〜４で分波部１２０に行った設定処理を、分波部２２０に対して設定処理を行ってもよい。設定部１６０ｄは、実施の形態４で合波部１３０に行った設定処理を、合波部２３０に対して設定処理を行ってもよい。
判定部１７０ｄが行う処理は、実施の形態１〜４と同じである。そのため、判定部１７０ｄが行う処理の説明は、省略する。
【０１４６】
上記では、光増幅器２１１が故障する場合を説明した。光増幅器１１１が故障する場合もある。光増幅器１１１が故障した場合、光増幅器２１１が出力したＡＳＥ光が波長選択スイッチ１２１又は波長選択スイッチ１３５に出力されてもよい。
【０１４７】
実施の形態５では、分波部１２０は、第２の送信部とも言う。分波部２２０又は合波部２３０は、第１の送信部とも言う。分波部２２０が第１の送信部である場合、合波部２３０は、第１の受信部とも言う。合波部２３０が第１の送信部である場合、分波部２２０は、第１の受信部とも言う。
【０１４８】
実施の形態５によれば、光通信装置１００ｄは、１つの光増幅器が故障しても、他の光増幅器を用いて接続確認を実行できる。また、光通信装置１００ｄは、実施の形態１〜４と同じ効果を奏する。
【０１４９】
以上に説明した各実施の形態における特徴は、互いに適宜組み合わせることができる。
【符号の説明】
【０１５０】
１１，１２，１３，１４  光ファイバ、  １００，１００ａ，１００ｂ，１００ｃ，１００ｄ  光通信装置、  １０１  プロセッサ、  １０２  揮発性記憶装置、  １０３  不揮発性記憶装置、  １１０  受信光増幅部、  １１１  光増幅器、  １１２，１１３  ポート、  １２０  分波部、  １２１  波長選択スイッチ、  １２２，１２３，１２４，１２５  ポート、  １２６，１２６ａ，１２６ｂ  光分岐器、  １２７，１２７ａ，１２７ｂ  送信側測定部、  １３０，１３０ａ，１３０ｂ  合波部、  １３０１，１３０ａ１，１３０ｂ１  合波部、  １３１，１３２，１３６  ポート、  １３１ａ，１３２ａ，１３６ａ  ポート、  １３１ｂ，１３２ｂ，１３６ｂ  ポート、  １３３，１３３ａ，１３３ｂ  光分岐器、  １３４，１３４ａ，１３４ｂ  測定部、  １３５，１３５ａ，１３５ｂ  波長選択スイッチ、  １３６  ポート、  １３７，１３７ａ，１３７ｂ  光分岐器、  １３８，１３８ａ，１３８ｂ  測定部、  １４０，１４０ａ，１４０ｂ  送信光増幅部、  １４１，１４１ａ，１４１ｂ  光増幅器、  １４２，１４３  ポート、  １４２ａ，１４３ａ  ポート、  １４２ｂ，１４３ｂ  ポート、  １５０，１５０ａ，１５０ｂ，１５０ｃ  記憶部、  １６０，１６０ａ，１６０ｂ，１６０ｃ，１６０ｄ  設定部、  １７０，１７０ａ，１７０ｂ，１７０ｃ，１７０ｄ  判定部、  １８０  出力部、  ２１０  受信光増幅部、  ２１１  光増幅器、  ２１２，２１３  ポート、  ２２０  分波部、  ２２１  波長選択スイッチ、  ２２２，２２３，２２４  ポート、  ２２５  光分岐器、  ２２６  測定部、  ２３０  合波部、  ２３１  波長選択スイッチ、  ２３２，２３３，２３４，２３５，２３６  ポート、  ２３７，２３７ａ，２３７ｂ  光分岐器、  ２３８，２３８ａ，２３８ｂ  測定部。
【図１】
2020217439.tif 000003
【図２】
2020217439.tif 000004
【図３】
2020217439.tif 000005
【図４】
2020217439.tif 000006
【図５】
2020217439.tif 000007
【図６】
2020217439.tif 000008
【図７】
2020217439.tif 000009
【図８】
2020217439.tif 000010
【図９】
2020217439.tif 000011
【図１０】
2020217439.tif 000012
【図１１】
2020217439.tif 000013
【図１２】
2020217439.tif 000014
【図１３】
2020217439.tif 000015
【図１４】
2020217439.tif 000016
【図１５】
2020217439.tif 000017
【図１６】
2020217439.tif 000018
【図１７】
2020217439.tif 000019
【図１８】
2020217439.tif 000020
【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
第１のポートを含む複数のポートのうちの１つのポートを介して、光増幅器が出力した自然放出増幅光を送信する第１の送信部と、
第２のポートに入力された前記自然放出増幅光を受信する第１の受信部と、
前記第２のポートに入力された前記自然放出増幅光の光レベルを測定する第１の測定部と、
光ファイバの正常な接続状態を確認するための情報である正常接続情報を用いて、前記第２のポートに接続している光ファイバが前記第１のポートに接続しているか否かを判定する判定部と、
を有する光通信装置。
【請求項２】
前記正常接続情報は、予め測定されている、前記第１の送信部が前記第１のポートを介して光信号を送信してから前記第１の測定部が前記第２のポートに入力された前記光信号の光レベルを測定するまでの第１の時間を示し、
前記判定部は、前記第１の送信部が前記自然放出増幅光を送信した時刻、前記第１の測定部が前記自然放出増幅光の光レベルを測定した時刻、及び前記第１の時間に基づいて、前記第２のポートに接続している光ファイバが前記第１のポートに接続しているか否かを判定する、
請求項１に記載の光通信装置。
【請求項３】
前記判定部は、前記第１の送信部が前記自然放出増幅光を送信した時刻と前記第１の測定部が前記自然放出増幅光の光レベルを測定した時刻とに基づいて算出された時間と、前記第１の時間とが一致する場合、前記第２のポートに接続している光ファイバが前記第１のポートに接続していると判定し、前記第２のポートに正しい光ファイバが接続していると判定する、
請求項２に記載の光通信装置。
【請求項４】
前記判定部は、前記第１の送信部が前記自然放出増幅光を送信した時刻と前記第１の測定部が前記自然放出増幅光の光レベルを測定した時刻とに基づいて算出された時間と、前記第１の時間とが一致しない場合、前記第２のポートに誤った光ファイバが接続していると判定する、
請求項３に記載の光通信装置。
【請求項５】
前記第１の送信部が前記複数のポートのうちの第３のポートを介して送信した前記光信号を第４のポートを介して受信する第２の受信部と、
前記第４のポートに入力された前記光信号の光レベルを測定する第２の測定部と、
をさらに有し、
前記正常接続情報は、予め測定されている、前記第１の送信部が前記第３のポートを介して前記光信号を送信してから前記第２の測定部が前記第４のポートに入力された前記光信号の光レベルを測定するまでの第２の時間を示し、
前記判定部は、前記第２の時間と、前記第１の送信部が前記第３のポートを介して前記自然放出増幅光を送信した時刻と前記第１の測定部が前記自然放出増幅光の光レベルを測定した時刻とに基づいて算出された時間とが一致する場合、前記第２のポートに接続している光ファイバが前記第３のポートに接続していると判定する、
請求項２から４のいずれか１項に記載の光通信装置。
【請求項６】
前記第１の送信部は、前記第１のポートを介して、前記自然放出増幅光のうちの第１の帯域における波長の第１の光信号を周期的に第１の減衰量で減衰して送信し、
前記正常接続情報は、周期的に前記第１の減衰量で減衰している前記第１の光信号が前記第２のポートに入力されることを示し、
前記判定部は、前記第１の測定部が前記第１の光信号の光レベルが周期的に前記第１の減衰量で減衰していることを測定した場合、前記正常接続情報に基づいて、前記第２のポートに接続している光ファイバが前記第１のポートに接続していると判定し、前記第２のポートに正しい光ファイバが接続していると判定する、
請求項１に記載の光通信装置。
【請求項７】
前記第１の送信部は、前記複数のポートのうちの第３のポートを介して、前記自然放出増幅光のうちの第２の帯域における波長の第２の光信号を周期的に第２の減衰量で減衰して送信し、
前記判定部は、前記第１の測定部が前記第２の光信号の光レベルが周期的に前記第２の減衰量で減衰していることを測定した場合、前記正常接続情報に基づいて、前記第２のポートに誤った光ファイバが接続していると判定する、
請求項６に記載の光通信装置。
【請求項８】
前記第１の測定部が前記第２の光信号の光レベルが周期的に前記第２の減衰量で減衰していることを測定した場合、前記第２のポートに接続されている光ファイバが前記第３のポートに接続していることを示す接続情報を記憶する記憶部をさらに有し、
前記判定部は、前記第１の測定部が前記第２の光信号の光レベルが周期的に前記第２の減衰量で減衰していることを測定した場合、前記接続情報に基づいて、前記第２のポートに接続している光ファイバが前記第３のポートに接続していると判定する、
請求項７に記載の光通信装置。
【請求項９】
第４のポートを有する第２の受信部と、
第２の測定部と、
をさらに有し、
前記第１の送信部は、前記第１の光信号と前記第２の光信号を同時に送信し、
前記正常接続情報は、周期的に前記第２の減衰量で減衰している前記第２の光信号が前記第４のポートに入力されることを示し、
前記判定部は、前記第２の測定部が前記第４のポートに入力された前記第２の光信号の光レベルが周期的に前記第２の減衰量で減衰していることを測定した場合、前記正常接続情報に基づいて、前記第４のポートに接続している光ファイバが前記第３のポートに接続していると判定し、前記第４のポートに正しい光ファイバが接続していると判定する、
請求項７又は８に記載の光通信装置。
【請求項１０】
第１の送信側測定部をさらに有し、
前記第１の送信部は、前記第１のポートを介して、前記自然放出増幅光のうちの第１の帯域における波長の第１の光信号を送信し、
前記第１の送信側測定部は、前記第１のポートから出力される前の前記第１の光信号の光レベルを測定し、
前記正常接続情報は、前記第１の送信側測定部が測定した光レベルと前記第１の測定部が測定した光レベルとの差が予め決められた第１の閾値以下の場合、前記第２のポートに正しい光ファイバが接続していることを示し、
前記判定部は、前記第１の送信側測定部が測定した光レベルと前記第１の測定部が測定した光レベルとの差が前記第１の閾値以下の場合、前記正常接続情報に基づいて、前記第２のポートに接続している光ファイバが前記第１のポートに接続していると判定し、前記第２のポートに正しい光ファイバが接続していると判定する、
請求項１に記載の光通信装置。
【請求項１１】
前記判定部は、前記第１の送信側測定部が測定した光レベルと前記第１の測定部が測定した光レベルとの差が前記第１の閾値を超える場合、前記正常接続情報に基づいて、前記第２のポートに誤った光ファイバが接続していると判定する、
請求項１０に記載の光通信装置。
【請求項１２】
第２の送信側測定部と、
記憶部と、
をさらに有し、
前記第１の送信部は、前記複数のポートのうちの第３のポートを介して、前記自然放出増幅光のうちの第２の帯域における波長の第２の光信号を送信し、
前記第２の送信側測定部は、前記第３のポートから出力される前の前記第２の光信号の光レベルを測定し、
前記記憶部は、前記第２の送信側測定部が測定した光レベルと前記第１の測定部が測定した光レベルとの差が予め決められた第２の閾値以下の場合、前記第２のポートに接続している光ファイバが前記第３のポートに接続していることを示す接続情報を記憶し、
前記判定部は、前記第２の送信側測定部が測定した光レベルと前記第１の測定部が測定した光レベルとの差が前記第２の閾値以下の場合、前記接続情報に基づいて、前記第２のポートに接続している光ファイバが前記第３のポートに接続していると判定する、
請求項１０又は１１に記載の光通信装置。
【請求項１３】
第４のポートを有する第２の受信部と、
前記第４のポートに入力された前記第２の光信号の光レベルを測定する第２の測定部と、
をさらに有し、
前記第１の送信部は、前記第１の光信号と前記第２の光信号を同時に送信し、
前記正常接続情報は、前記第２の送信側測定部が測定した光レベルと前記第２の測定部が測定した光レベルとの差が前記第２の閾値以下の場合、前記第４のポートに正しい光ファイバが接続していることを示し、
前記判定部は、前記第２の送信側測定部が測定した光レベルと前記第２の測定部が測定した光レベルとの差が前記第２の閾値以下の場合、前記正常接続情報に基づいて、前記第４のポートに接続している光ファイバが前記第３のポートに接続していると判定し、前記第４のポートに正しい光ファイバが接続していると判定する、
請求項１２に記載の光通信装置。
【請求項１４】
前記第１の光信号は、複数の波長であり、前記第２の帯域における波長の数より多い、
請求項１２に記載の光通信装置。
【請求項１５】
前記第１の送信部は、前記第１の光信号を第１の減衰量で減衰して送信し、前記第２の光信号を第２の減衰量で減衰して送信する、
請求項１２から１４のいずれか１項に記載の光通信装置。
【請求項１６】
前記第１の送信部は、前記第１のポートを介して、前記自然放出増幅光のうちの第１の帯域における複数の波長である複数の第１の光信号を送信し、
前記正常接続情報は、前記複数の第１の光信号が前記第２のポートに入力されることを示し、
前記判定部は、前記第１の測定部が前記複数の第１の光信号のそれぞれの光レベルを測定した場合、前記正常接続情報に基づいて、前記第２のポートに接続している光ファイバが前記第１のポートに接続していると判定し、前記第２のポートに正しい光ファイバが接続していると判定する、
請求項１に記載の光通信装置。
【請求項１７】
前記第１の送信部は、前記複数のポートのうちの第３のポートを介して、前記自然放出増幅光のうちの第２の帯域における複数の波長である複数の第２の光信号を送信し、
前記判定部は、前記第１の測定部が前記複数の第２の光信号のそれぞれの光レベルを測定した場合、前記正常接続情報に基づいて、前記第２のポートに誤った光ファイバが接続していると判定する、
請求項１６に記載の光通信装置。
【請求項１８】
前記第１の測定部が前記複数の第２の光信号のそれぞれの光レベルを測定した場合、前記第２のポートに接続している光ファイバが前記第３のポートに接続していることを示す接続情報を記憶する記憶部をさらに有し、
前記判定部は、前記第１の測定部が前記複数の第２の光信号のそれぞれの光レベルを測定した場合、前記接続情報に基づいて、前記第２のポートに接続している光ファイバが前記第３のポートに接続していると判定する、
請求項１７に記載の光通信装置。
【請求項１９】
第４のポートを有する第２の受信部と、
第２の測定部と、
をさらに有し、
前記第１の送信部は、前記複数の第１の光信号と前記複数の第２の光信号を同時に送信し、
前記正常接続情報は、前記複数の第２の光信号が前記第４のポートに入力されることを示し、
前記判定部は、前記第２の測定部が前記第４のポートに入力された前記複数の第２の光信号のそれぞれの光レベルを測定した場合、前記正常接続情報に基づいて、前記第４のポートに接続している光ファイバが前記第３のポートに接続していると判定し、前記第４のポートに正しい光ファイバが接続していると判定する、
請求項１７に記載の光通信装置。
【請求項２０】
判定の結果を出力する出力部をさらに有する、
請求項１から１９のいずれか１項に記載の光通信装置。
【請求項２１】
前記光増幅器が出力した前記自然放出増幅光を前記第１の送信部に送信する第２の送信部をさらに有する、
請求項１から２０のいずれか１項に記載の光通信装置。
【請求項２２】
前記光増幅器をさらに有し、
前記光増幅器は、前記光増幅器に入力された光信号である入力光信号を増幅し、
前記自然放出増幅光は、前記入力光信号の波長以外の波長である、
請求項１から２１のいずれか１項に記載の光通信装置。
【手続補正２】
【補正対象書類名】明細書
【補正対象項目名】０００７
【補正方法】変更
【補正の内容】
【０００７】
本開示の一態様に係る光通信装置が提供される。光通信装置は、第１のポートを含む複数のポートのうちの１つのポートを介して、光増幅器が出力した自然放出増幅光を送信する第１の送信部と、第２のポートに入力された前記自然放出増幅光を受信する第１の受信部と、前記第２のポートに入力された前記自然放出増幅光の光レベルを測定する第１の測定部と、光ファイバの正常な接続状態を確認するための情報である正常接続情報を用いて、前記第２のポートに接続している光ファイバが前記第１のポートに接続しているか否かを判定する判定部と、を有する。
【国際調査報告】
2020217439.tif 000021
2020217439.tif 000022
2020217439.tif 000023
2020217439.tif 000024